(57)【要約】【課題】初期導入時には少数波長に対応し、この後に多波長対応とする機能拡張が行え、また、波長クロスコネクト機能への機能拡張ができ、これらを伝送信号を切断することなく実現する。【解決手段】伝送経路上に配置されるコア部２１ａは、入力ポートへの入力光を出力ポートに通過させるスルーの経路と、所定波長の前記入力光を分岐させるドロップ側ポート２５ａと、入力光に所定波長の前記信号光を挿入するアド側ポート２５ｂと、を備える。【選択図】        図５
2006087062.tif 000002
【特許請求の範囲】
【請求項１】
波長多重されて入力ポートに入力される入力光を波長ごとに伝送経路別の複数の異なる方路の出力ポートへの出力光とする光路の切り替え、所定波長の信号光の分岐あるいは挿入を行う光分岐挿入装置において、
コア部を設け、
前記コア部は、
前記入力ポートへの入力光を前記出力ポートに通過させるスルーの経路と、
所定波長の前記入力光を分岐させる分岐用出力ポートと、
前記入力光に所定波長の前記信号光を挿入する挿入用入力ポートと、
を備えたことを特徴とする光分岐挿入装置。
【請求項２】
前記コア部の分岐用出力ポートに接続され、当該分岐用出力ポートから分岐された前記入力光を波長ごとに分波して複数出力するドロップ部を設けたことを特徴とする請求項１に記載の光分岐挿入装置。
【請求項３】
前記コア部の分岐用出力ポートを複数設け、当該複数の分岐用出力ポートの一部は前記ドロップ部に接続されるとともに、他の一部は波長クロスコネクトに分岐接続されることを特徴とする請求項２に記載の光分岐挿入装置。
【請求項４】
前記コア部の挿入用入力ポートに接続され、当該挿入用入力ポートに挿入する複数の波長の前記信号光を波長ごとに合波するアド部を設けたことを特徴とする請求項１に記載の光分岐挿入装置。
【請求項５】
前記コア部の挿入用入力ポートを複数設け、当該複数の挿入用入力ポートの一部は前記アド部に接続されるとともに、他の一部は波長クロスコネクトに挿入接続されることを特徴とする請求項４に記載の光分岐挿入装置。
【請求項６】
前記コア部は、前記伝送経路の前記方路の数と同一数を設け、
複数の前記コア部は、それぞれ、Ｎ個の分岐用出力ポートを有する１×Ｎ波長選択スイッチと、
Ｍ個の挿入用入力ポートを有するＭ×１波長選択スイッチと、を備え、
一つの前記コア部の前記１×Ｎ波長選択スイッチの前記分岐用出力ポートと、他のコア部のＭ×１波長選択スイッチの前記挿入用入力ポートとを波長クロスコネクト用として接続したことを特徴とする請求項１に記載の光分岐挿入装置。
【請求項７】
前記コア部の前記分岐用出力ポートを複数設け、当該分岐用出力ポートのうち少なくとも一つのポートは波長クロスコネクト用のポートとし、当該波長クロスコネクト用のポートにはポート数を増加させる出力用の拡張素子が接続可能なことを特徴とする請求項１に記載の光分岐挿入装置。
【請求項８】
前記コア部の前記挿入用入力ポートを複数設け、当該挿入用入力ポートのうち少なくとも一つのポートは波長クロスコネクト用のポートとし、当該波長クロスコネクト用のポートにはポート数を増加させる入力用の拡張素子が接続可能なことを特徴とする請求項１に記載の光分岐挿入装置。
【請求項９】
前記出力用の拡張素子として１×Ｎ波長選択スイッチまたは光カプラのいずれかが接続されたことを特徴とする請求項７に記載の光分岐挿入装置。
【請求項１０】
前記入力用の拡張素子としてＭ×１波長選択スイッチまたは光カプラのいずれかが接続されたことを特徴とする請求項８に記載の光分岐挿入装置。
【発明の詳細な説明】
【技術分野】
【０００１】
本発明は、伝送信号の経路切り替えおよび経路増設に適用される光スイッチ装置の技術分野に属し、特に、波長多重光伝送システムにおける波長クロスコネクト機能や、光アド／ドロップ機能の機能拡張が行える光分岐挿入装置に関する。
【背景技術】
【０００２】
近年、通信容量の増大にともない、ネットワークの大容量化が要求されている。その要求を満たすために、従来基幹ネットワークでは、波長分割多重（ＷＤＭ：Ｗａｖｅｌｅｎｇｔｈ  Ｄｉｖｉｓｉｏｎ  Ｍｕｌｔｉｐｌｅｘ）を用いた光ネットワークが適用されている。ＷＤＭを用いた光ネットワークでは、都市間の通信要求に対して、ＷＤＭ光の波長ごとに入力光の出力先を変更する波長クロスコネクト機能（例えば、下記特許文献１参照。）や、任意経路に任意波長の信号光を挿入（アド、ａｄｄ）し、任意経路から任意波長の信号光を分岐（ドロップ、ｄｒｏｐ）して受信する光分岐挿入装置（ＯＡＤＭ：Ｏｐｔｉｃａｌ  Ａｄｄ  ａｎｄ  Ｄｒｏｐ  Ｍｕｌｔｉｐｌｅｘｉｎｇ）に対する要望が高まっている。光分岐挿入装置は、波長選択スイッチ（ＷＳＳ：Ｗａｖｅｌｅｎｇｔｈ  Ｓｅｌｅｃｔｉｖｅ  Ｓｗｉｔｃｈ）を備えている。波長選択スイッチは、回折格子と、マイクロマシン（ＭＥＭＳ：Ｍｉｃｒｏ  Ｅｌｅｃｔｒｏ  Ｍｅｃｈａｎｉｃａｌ  Ｓｙｓｔｅｍ）技術を用いた微小なＭＥＭＳミラーによるマトリックススイッチからなるものや（例えば、下記特許文献２参照。）、薄膜フィルタと、ＭＥＭＳミラーによるマトリックススイッチからなるもの（例えば、下記特許文献３参照。）等がある。
【０００３】
これら波長クロスコネクトや、ＯＡＤＭの機能は、高機能化するだけでなく、装置の大きさやコストの観点から、装置の導入時には最小限の構成をとりながら、必要に応じて機能拡張できる構成が好ましい。なお、装置を交換する場合には、装置に接続されている光ファイバの接続換えを行わねばならず、光ファイバの本数が数千本と多いため作業に手間がかかると共に、伝送中の信号を切断することになり好ましくない。このため、伝送中の信号を切断することなく機能を拡張できる（インサービスアップグレードと称す）構成の実現化が望まれている。
【０００４】
【特許文献１】特開平８−１９５９７２号公報
【特許文献２】米国特許第６６９４０７３号明細書
【特許文献３】特表２００４−５１５７９８号公報
【発明の開示】
【発明が解決しようとする課題】
【０００５】
しかしながら、従来の構成では、装置導入時に将来要求される波長数や切り替え方路数を予測して所要構成分だけの装置数を用意するようになっていたため、初期導入の時点から大型の装置が必要になるとともに、初期導入時における装置の導入コストが高くなるという問題があった。
【０００６】
図５７は、ネットワークの伝送経路と波長クロスコネクト装置の構成を示す図である。光分岐挿入装置を構成する波長クロスコネクト装置１３００には、２つのリングの伝送経路Ａ，Ｂが接続されている。伝送経路Ａは、２本の光ファイバ１３０１ａ，１３０１ｂからなり、伝送経路Ｂは、２本の光ファイバ１３０２ａ，１３０２ｂからなる。波長クロスコネクト装置１３００は、これら４本の光ファイバ１３０１ａ〜光ファイバ１３０２ｂによる４方向（＃１〜＃４の計４方路）における信号の切り替えを行う。具体的には、方路＃１と方路＃２との間、方路＃１と方路＃３との間、方路＃１と方路＃４との間、方路＃２と方路＃３との間、方路＃２と方路＃４との間、方路＃３と方路＃４との間の信号の切り替えを行うことができる。
【０００７】
図５８は、従来技術による光クロスコネクトの例としてマトリックススイッチを用いた構成を示す図である。波長の入力数および出力数が８０（λ１〜λ８０）である８０×８０のマトリックススイッチ１３１０を用いる場合を例に説明する。装置の導入後の最終的な方路数（伝送経路の数）が４と予測される場合、一つの波長の信号のファイバ数は４本（伝送信号分）＋４本（すべての波長をアド／ドロップ対応にする場合）＝８本存在することになるため、一つのマトリックススイッチ１３１０に８０÷８＝１０波長分を割り当てることになる。
【０００８】
そして、初期導入時の方路数が２であったとすると、（２本（伝送信号）＋２本（アド／ドロップ分））×１０波長＝４０本分のマトリックススイッチ１３１０の入出力ポートを使用することになる。ここで、残りの４０本分の入出力ポートは未使用となり無駄となる。さらに、初期導入時の将来予測が外れて、将来予測を上回る方路数へ機能拡張が要求された場合には、対応ができないという問題が生じることになる。
【０００９】
本発明は、上述した従来技術による問題点を解消するものであり、初期導入時には少数波長対応し、この後に多波長対応への機能拡張が行え、また、波長クロスコネクト機能への機能拡張も行え、これらの伝送信号を切断することなく実現できる光分岐挿入装置を提供することを目的とする。
【課題を解決するための手段】
【００１０】
本発明にかかる光分岐挿入装置は、波長多重されて入力ポートに入力される入力光を波長ごとに伝送経路別の複数の異なる方路の出力ポートへの出力光とする光路の切り替え、所定波長の信号光の分岐あるいは挿入を行う光分岐挿入装置において、コア部を設け、前記コア部は、前記入力ポートへの入力光を前記出力ポートに通過させるスルーの経路と、所定波長の前記入力光を分岐させる分岐用出力ポートと、前記入力光に所定波長の前記信号光を挿入する挿入用入力ポートと、を備えたことを特徴とする。
【００１１】
本発明によれば、コア部は、入力光を分岐用ポートから分岐出力し、また、挿入用ポートからの信号光を挿入することができる。このコア部を用いることにより、必要な機能拡張に応じて入力光を波長ごとに伝送経路別の複数の異なる方路の出力ポートへ出力させたり、所定波長の信号光の分岐あるいは挿入を行うことができるようになる。また、この機能拡張の際、コア部は、入力光をスルーの経路で通過させるため、伝送信号を切断せずに機能拡張を行うことができる。
【発明の効果】
【００１２】
本発明によれば、ネットワーク要求の変化に対応して光分岐挿入の機能を拡張することができる。初期導入時には、必要最小限の機能として装置の大きさが小型で低コストな運用を開始できるとともに、必要な機能を拡張することができ、この機能拡張を伝送信号を切断することなく行えるという効果を奏する。
【発明を実施するための最良の形態】
【００１３】
（実施の形態）
以下に添付図面を参照して、本発明にかかる光分岐挿入装置の好適な実施の形態を詳細に説明する。
【００１４】
（光分岐挿入装置の機能拡張の概要）
はじめに、本発明の光分岐挿入装置における機能拡張の概要を説明する。近年、マトリックススイッチの代わりとして、任意の波長を任意の方向に切り替え可能な波長選択スイッチや任意の波長から任意の波長をブロック可能な波長ブロッカーの研究開発が盛んに行われている。これらはマトリックススイッチに比べ、小型・低コストであること、低挿入損失であること、実装時にファイバ数が少なく済む等、様々な利点を有している。
【００１５】
本発明の光分岐挿入装置では、この波長選択スイッチまたは波長ブロッカーを用いる。そして、少数波長対応（ＬＣＣ：Ｌｏｗ  Ｃｏｕｎｔ  Ｃｈａｎｎｅｌ）のＤＯＡＤＭ（Ｄｙｎａｍｉｃ  ＯＡＤＭ）から多波長対応（ＨＣＣ：Ｈｉｇｈ  Ｃｏｕｎｔ  Ｃｈａｎｎｅｌ）のＤＯＡＤＭへの機能拡張を行う。さらには、波長クロスコネクト機能（ＷＸＣ：Ｗａｖｅｌｅｎｇｔｈ  Ｃｒｏｓｓ−Ｃｏｎｎｅｃｔ）への機能拡張を行う。そして、これらの機能拡張を伝送信号を切断することなく実現させる。
【００１６】
図１は、本発明の光分岐挿入装置による機能拡張の手順例を説明する図である。ネットワーク要求の変化によって、光分岐挿入装置の機能を少数波長対応（ＬＣＣ）ＤＯＡＤＭ→多波長対応（ＨＣＣ）ＤＯＡＤＭ→ＷＸＣへと機能拡張（インサービスアップグレード）を行った例を示している。
【００１７】
初期導入時においては、一つのリングネットワーク（メトロリング１ａ）に対してＤＯＡＤＭ２ａを配置する。また、５年後には３つのリングネットワーク１ａ〜１ｃまで拡張されることを予想したものである。
【００１８】
初期導入時は、数波長のアド（ａｄｄ）／ドロップ（ｄｒｏｐ）要求しか生じないため、必要最小限の機能を有する少数波長対応（ＬＣＣ）ＤＯＡＤＭ２ａを配置している。図中、３ａはアド部（ａｄｄ）であり、３ｂはドロップ部（ｄｒｏｐ）である。初期導入時に配置するＤＯＡＤＭ２ａは、５年後に予想されるネットワーク要求に対応できるよう拡張可能な装置構成としておく。
【００１９】
例えば、２年後には、一つのリングネットワーク１ａ中での所要波長数の増加に対応する例とした。ＤＯＡＤＭ２ｂは、アド部３ａと、ドロップ部３ｂの空きポートを使用する。あるいは、空きポートにアド／ドロップモジュールを追加する等して、運用中の伝送信号を切断することなく多波長対応（ＨＣＣ）ＤＯＡＤＭ２ｂへの機能拡張を行う。
【００２０】
そして、例えば、５年後には、メトロリング＃１〜メトロリング＃３の３つのリングネットワーク１ａ〜１ｃ間で通信が可能になるように、既存の伝送信号を切断することなくＤＯＡＤＭ２ｂから波長クロスコネクト機能（ＷＸＣ）２ｃへの機能拡張を行う例とした。なお、ＤＯＡＤＭ２ｂからＷＸＣ２ｃへの変更は、装置の交換を示すものではなく機能拡張を示すものである。この機能拡張により、名称をＤＯＡＤＭ２ｂからＷＸＣ２ｃに変更させている。ＷＸＣ２ｃにより伝送経路における波長クロスコネクト装置の機能を果たすことができる。
【００２１】
図２は、光分岐挿入装置の機能を比較した図表である。ＯＡＤＭ、ＲＯＡＤＭ（Ｒｅｃｏｎｆｉｇｕａｂｌｅ  ＯＡＤＭ）、ＤＯＡＤＭ、波長制限付ＤＯＡＤＭ、のそれぞれについて、構成例と、任意波長を任意のポートにアド／ドロップする機能の有無、再構築の可否について記載してある。図１を用いて説明したように、ＤＯＡＤＭを用いることにより、将来的に任意波長を任意のポートにアド／ドロップする機能を有するとともに、再構築が可能となる。
【００２２】
但し、本発明の機能拡張は、ＯＡＤＭ以外の構成例、すなわち、ＲＯＡＤＭ、波長制限付ＤＯＡＤＭを用いることも可能である。ＲＯＡＤＭにおいては、再構築が可能となる。波長制限付ＤＯＡＤＭは、ＤＯＡＤＭに比して任意波長を任意のポートにアド／ドロップ
する機能に波長制限が生じるが、再構築はＤＯＡＤＭ同様に可能であり、アド／ドロップする波長数が少ない場合等には、ＤＯＡＤＭより安価な波長制限付ＤＯＡＤＭを用いることができる。
【００２３】
図３〜図５は、それぞれ光分岐挿入装置における機能拡張の例を示す図である。これらの図に示すように、光分岐挿入装置は、波長選択スイッチや波長ブロッカーを含むコア部と、信号光をコア部から分岐して分岐用出力ポート（ドロップ用ポート）に取り出すためのドロップ部と、コア部に対し挿入用入力ポート（アド用ポート）から挿入する信号光を出力するアド部とからなる。
【００２４】
図３は、少数波長対応ＤＯＡＤＭから多波長対応ＤＯＡＤＭへの機能拡張を示す図である。伝送経路上でＮ波長が波長多重された入力信号は、コア部１１ａを通過して出力される。このコア部１１ａは、波長選択スイッチ（ＷＳＳ：Ｗａｖｅｌｅｎｇｔｈ  Ｓｅｌｅｃｔｉｖｅ  Ｓｗｉｔｃｈ）や波長ブロッカー（ＷＢ：Ｗａｖｅｌｅｎｇｔｈ  Ｂｌｏｃｋｅｒ）を備え、所定波長の信号をドロップ部１２ａに分岐させる。また、アド部１３ａからの信号は、コア部１１ａにより主信号に多重される。
【００２５】
少数波長対応（ＬＣＣ）ＤＯＡＤＭ１０ａでは、コア部１１ａから分岐された信号の波長数ｉは、ドロップ部１２ａのポート数ｉを用いて受信部（Ｒｘ）に出力される。また、アド部１３ａのポート数ｉを用いて送信部（Ｔｘ）からの信号が入力され、コア部１１ａにて挿入される。ドロップ部１２ａとアド部１３ａのポート数ｉは同じとしたが異なることもある。
【００２６】
また、多波長対応（ＨＣＣ）ＤＯＡＤＭ１０ｂに機能拡張し、波長数をｉからｋに増やすときには（ポート数ｉ＜ｋ）、コア部１１ａはそのまま用い、ドロップ部１２ａとアド部１３ａの空きポートを使用してポート数をｋに増やす。この他、空きポートにさらに他のドロップ部とアド部（不図示）を増設する。これにより、多波長対応ＤＯＡＤＭ１０ｂへの機能拡張を行うことができる。
【００２７】
図４は、ＲＯＡＤＭからＤＯＡＤＭへの機能拡張を示す図である。ＲＯＡＤＭ２０ａにおいてコア部２１ａに接続されているドロップ部２２ａと、アド部２３ａの各ポートは、それぞれ初期導入時に決定された固定波長（λ１〜λｎ）にのみ対応している。ＤＯＡＤＭ２０ｂに機能拡張するときには、コア部２１ａは交換することなくそのままで、ドロップ部２２ａとアド部２３ａをそれぞれ各ポートが任意波長に対応したドロップ部２２ｂと、アド部２３ｂに交換する。ドロップ部２２ｂとアド部２３ｂには、それぞれ光スイッチあるいは光フィルタを備え、各ポートはλ１〜λｎの波長のうち、任意の一つの波長（λｓ１〜λｓｎの一つの波長）を選択することができる。これにより、コア部２１ａにおける伝送経路上の信号を切断することなく機能拡張することが可能になる。
【００２８】
図５は、ＤＯＡＤＭからＷＸＣへの機能拡張を示す図である。図４に示したＤＯＡＤＭ２０ｂの構成をＷＸＣ２０ｃに機能拡張させる場合の例を示している。コア部２１ａ内部には、ドロップ側ポート２５ａとアド側ポート２５ｂを備えている。このコア部２１ａをネットワークが要求する伝送経路数の増大に対応して増設させる。図５の例では方路数（伝送経路数）が１から３に増大しており、対応してコア部２１ｂ，２１ｃを増設させている。
【００２９】
図５のＷＸＣ２０ｃには、ドロップ部とアド部の記載を省略したが、各コア部２１ａ，２１ｂ，２１ｃには、ＤＯＡＤＭ２０ｂに記載したドロップ部２２ｂ，アド部２３ｂが接続されている。そして、ＷＸＣ２０ｃ内部にて各コア部２１ａ，２１ｂ，２１ｃに設けられているドロップ側ポート２５ａとアド側ポート２５ｂのポートとを接続する。
【００３０】
また、コア部２１ａのドロップ側ポート２５ａをコア部２１ｂのアド側ポート２５ｂと、コア部２１ｃのアド側ポート２５ｂに接続する。また、コア部２１ｂのドロップ側ポート２５ａをコア部２１ａのアド側ポート２５ｂと、コア部２１ｃのアド側ポート２５ｂに接続する。また、コア部２１ｃのドロップ側ポート２５ａをコア部２１ａのアド側ポート２５ｂと、コア部２１ｂのアド側ポート２５ｂに接続する。
【００３１】
上記接続例により、図１を用いて説明した３つのメトロリング（＃１〜＃３）の方路数に対応する機能拡張が行えるようになる。これにより、コア部内をスルー（通過）する主信号を切断することなく、ＷＸＣ２０ｃを構成するコア部の個数を増やして方路数を増大させた機能拡張をすることが可能になる。
【００３２】
（コア部の構成例）
次に、図６〜図９を用いて、コア部の各種構成例を説明する。図６は、コア部の構成例１を示す図である。図６に示すコア部３０は、コア１（３０ａ）と、コア２（３０ｂ）によって構成されている。コア１（３０ａ）は、１×２（以降、入力数対出力数を×と表記する）光カプラ３１と、光カプラ３１の一方の出力に接続された波長ブロッカー（ＷＢ）３２と、波長ブロッカー３２の出力が一方の入力に接続された２×１光カプラ３３とにより構成されている。コア２（３０ｂ）は、光カプラ３１の他方の出力に接続されたドロップ用１×Ｎポート波長選択スイッチ（ＷＳＳ）３４と、光カプラ３３の他方の入力に接続されたアド用Ｍ×１ポート波長選択スイッチ（ＷＳＳ）３５とを備えた構成である。
【００３３】
多入力１出力の光カプラは、入力された複数の信号光を重ね合わせ合波として出力し、１入力多出力の光カプラは、入力された多重化信号光をそのまま分岐して出力する。多入力１出力の波長選択スイッチは、入力された任意の複数の波長の多重化を行い、１入力多出力の波長選択スイッチは、入力された多重化信号光から任意の波長の信号光が分割され、出力される（Ｎ出力の場合、Ｎ波長の出力が行われる）。したがって、光カプラを通過して分岐される場合は、多重化信号光全体が分岐されるため、波長選択スイッチに比べ減衰が大きく、光増幅器を備える等の減衰対策が行われる。
【００３４】
ドロップ部と、アド部のそれぞれに配置された波長選択スイッチ３４，３５のポートに、さらに不図示の波長選択スイッチ（ＷＳＳ）等を接続することにより、少数波長対応ＤＯＡＤＭから多波長対応ＤＯＡＤＭへの機能拡張が行えるようになる。また、波長選択スイッチを複数組み合わせる等でＷＸＣへの機能拡張が行え、装置が大型化することなく、損失を抑えることができる。また、図示のように、コア部３０の内部における部品間のファイバ接続本数は少なく、結線が容易に行えるとともに、システム運用中であってもファイバのつなぎ換えを行う必要がなく、主信号を切断せずに機能拡張することができる。さらに、ある波長を主信号として伝送させた状態のままでドロップ側にも同じ波長信号を伝送するという、ドロップ・アンド・コンティニュー機能の実現も可能である。
【００３５】
図７は、コア部の構成例２を示す図である。図７に示すコア部３０は、１×２光カプラ４１と、光カプラ４１の一方の出力に接続されたＭ×１ポート波長選択スイッチ（ＷＳＳ）４２と、光カプラ４１の他方の出力に接続されたドロップ用１×Ｎポート波長選択スイッチ（ＷＳＳ）４３とにより構成されている。
【００３６】
ドロップ用の波長選択スイッチ４３のポートには、さらに不図示の波長選択スイッチやグルーピングフィルタ等を接続し、またアド部に不図示の光カプラ等を接続することにより、少数波長対応ＤＯＡＤＭから多波長対応ＤＯＡＤＭへの機能拡張が行えるようになる。また、波長選択スイッチを複数組み合わせる等でＷＸＣへの機能拡張が行え、装置が大型化することなく、損失を抑えることができる。また、図示のように、コア部３０の内部における部品間のファイバ接続本数は少なく、結線が容易に行えるととともに、システム運用中であってもファイバのつなぎ換えを行う必要がなく、主信号を切断せずに機能拡張することができる。さらに、ある波長を主信号として伝送させた状態のままでドロップ側にも同じ波長信号を伝送するという、ドロップ・アンド・コンティニュー機能の実現も可能である。
【００３７】
図８は、コア部の構成例３を示す図である。図８に示すコア部３０は、１×Ｎポート波長選択スイッチ（ＷＳＳ）５１と、波長選択スイッチ５１の複数の出力ポートの一つに一
方の入力が接続される２×１光カプラ５２と、光カプラ５２の一方の入力に接続されるアド用のＭ×１ポート波長選択スイッチ（ＷＳＳ）５３とにより構成されている。
【００３８】
ドロップ用の波長選択スイッチ５１のポートに、さらに不図示の波長選択スイッチやグルーピングフィルタ等を接続し、またアド部に光カプラ等を接続することで、少数波長対応ＤＯＡＤＭから多波長対応ＤＯＡＤＭへの機能拡張が行えるようになる。また、波長選択スイッチを複数組み合わせる等でＷＸＣへの機能拡張が行え、装置が大型化することなく、損失を抑えることができる。また、図示のように、コア部３０の内部における部品間のファイバ接続本数は少なく、結線が容易に行えるとともに、システム運用中であってもファイバのつなぎ換えを行う必要がなく、主信号を切断せずに機能拡張することができる。
【００３９】
図９は、コア部の構成例４を示す図である。図９に示すコア部３０は、１×Ｎポート波長選択スイッチ（ＷＳＳ）６１と、波長選択スイッチ６１の複数の出力ポートの一つに、複数の入力ポートのうち一つが接続されるＭ×１ポート波長選択スイッチ（ＷＳＳ）６２とにより構成されている。
【００４０】
ドロップ部と、アド部のそれぞれの波長選択スイッチ６１，６２のポートに、不図示の波長選択スイッチ、グルーピングフィルタ、光カプラ等を接続することにより、少数波長対応ＤＯＡＤＭから多波長対応ＤＯＡＤＭへの機能拡張が行えるようになる。また、波長選択スイッチを複数組み合わせる等でＷＸＣへの機能拡張が行え、装置が大型化することなく、損失を抑えることができる。また、図示のように、コア部３０の内部における部品間のファイバ接続本数は少なく、結線が容易に行えるとともに、システム運用中であってもファイバのつなぎ換えを行う必要がなく、主信号を切断せずに機能拡張することができる。
【００４１】
（アド部の構成例）
次に、図１０〜図１７を用いて、アド部の各種構成例を説明する。図１０は、アド部の構成例１を示す図である。図１０に示すアド部７０は、固定波長の光合波器７１により構成したものである。この光合波器７１を用いた場合、光合波器７１に設けられる各入力ポート（１〜Ｍ）は固定波長対応であるため、再構築可能なＯＡＤＭ（ＲＯＡＤＭ）への機能拡張が行える。このアド部７０を上述したコア部３０（図６〜図９参照）のアド側ポートに接続し、光合波器７１の入力ポートの一部を受信用として用い、さらに他の一部をＷＸＣ用として用いることにより、ＷＸＣを備えたＲＯＡＤＭへの機能拡張が行える。図１０に示したアド部７０を上述したコア部３０のアド側ポートに接続することにより、簡易で低コストなＯＡＤＭを構築することができる。
【００４２】
図１１−１は、アド部の構成例２を示す図である。このアド部７０は、Ｍ×１ポート波長選択スイッチ（ＷＳＳ）８１により構成したものである。また、図１１−２は、アド部の構成例３を示す図である。図１１−２に示す例は、図１１−１に示した基本構成であるＭ×１ポート波長選択スイッチ（ＷＳＳ）８１を複数（図示の例では２つ）設け、各波長選択スイッチ８１の出力と２×１光カプラ８２の入力を接続した構成である。
【００４３】
図１１−２に示す構成の光カプラ８２はアド部７０のチャネル数を増やす場合に設ける。このような構成例の場合、任意波長型ＤＯＡＤＭを実現できる。これらのアド部７０を上述したコア部３０（図６〜図９参照）のアド側ポートに接続することにより、少数波長対応ＤＯＡＤＭから多波長対応ＤＯＡＤＭへの機能拡張が行える。このような構成によれば、アド部７０は、上記コア部３０のアド側ポートに容易に接続可能であり、かつ、コア部３０のアド側の各ポートに任意波長の信号を伝送できるようになる。
【００４４】
図１２は、アド部の構成例４を示す図である。このアド部７０は、Ｍ×１光カプラ９１を備えて構成されている。また、必要に応じて光カプラ９１の出力を増幅させる光増幅器９２を備えてもよい。このようなアド部７０により、任意波長型ＤＯＡＤＭを実現でき、上述したコア部３０（図６〜図９参照）のアド側ポートに接続することで、少数波長対応ＤＯＡＤＭから多波長対応ＤＯＡＤＭへの機能拡張が行える。そして、このアド部７０を上記コア部３０のアド側ポートとの接続により、簡易で低コストなＯＡＤＭを構築することが可能である。
【００４５】
図１３は、アド部の構成例５を示す図である。このアド部７０は、Ｍ×Ｍマトリックススイッチ９６と、Ｍ個のポートからの入力を合波する光合波器９７を備えて構成されている。また、必要に応じて光合波器９７の出力を増幅させる光増幅器９８を備えてもよい。これにより、任意波長型ＤＯＡＤＭを構成することができる。このようなアド部７０を上述したコア部３０（図６〜図９参照）のアド側ポートに接続することで、少数波長対応ＤＯＡＤＭから多波長対応ＤＯＡＤＭへの機能拡張が行える。また、上記コア部３０のアド側ポートに必要な波長ポート数のマトリックススイッチ９６を接続することで、アド側各ポートに任意波長の信号を伝送できるようになる。この際、初期導入時には使用しない台数も含めて複数台用意しておくといった必要がなくなる。
【００４６】
図１４〜図１７は、アド部にグルーピングフィルタを適用した構成例である。グルーピングフィルタは、製造が比較的容易なフィルタを用いて実現可能であり、上述したコア部３０（図６〜図９参照）のアド側各ポートに接続することにより、簡易かつ低コストに、ＤＯＡＤＭの機能拡張を行えるものである。
【００４７】
図１４は、アド部の構成例６を示す図である。このアド部１００は、Ｍ×１グルーピングフィルタ１０１を備えて構成されている。この構成によれば、グルーピングフィルタ１０１の各ポートは割り当てられた複数波長に対応しており、波長制限付ＤＯＡＤＭを実現する。
【００４８】
図１５は、アド部の構成例７を示す図である。このアド部１００は、Ｍ×１グルーピングフィルタとしてインタリーバ（ＩＬ：Ｉｎｔｅｒｌｅａｖｅｒ）１０２を備えて構成されている。インタリーバ１０２の内部構成の詳細は後述する。インタリーバ１０２のＭ個の各ポートは、それぞれ、ポートに割り当てられた複数の波長の中から一波長ずつ入力させることによって、Ｍ個の入力波長の信号を合波して出力する。
【００４９】
図１６は、アド部の構成例８を示す図である。このアド部１００は、Ｍ×１グルーピングフィルタとして帯域分割フィルタ（ＢＤＦ：Ｂａｎｄ  Ｄｉｖｉｓｉｏｎ  Ｆｉｌｔｅｒ）１０３を備えて構成されている。帯域分割フィルタ１０３の内部構成の詳細は後述する。帯域分割フィルタ１０３のＭ個の各ポートは、それぞれ、ポートに割り当てられた複数の波長の中から一波長ずつ入力させることによって、Ｍ個の入力波長の信号を合波して出力する。
【００５０】
図１７は、アド部の構成例９を示す図である。このアド部１００は、Ｍ×１グルーピングフィルタとしてカラーレスＡＷＧ（Ｃｏｌｏｒｌｅｓｓ  Ａｒｒａｙｅｄ  Ｗａｖｅｇｕｉｄｅ  Ｇｒａｔｉｎｇ；アレイ導波路格子）１０４を備えて構成されている。このカラーレスＡＷＧ１０４は、ＡＷＧの持つ周回性を利用したものであり、入力ポートに入力されてくる波長多重された光信号を、波長に応じて異なる出力ポートに振り分ける。カラーレスＡＷＧ１０４のＭ個の各ポートは、それぞれ、ポートに割り当てられた複数の波長の中から１波長ずつ入力させることによって、Ｍ個の入力波長の信号を合波して出力する。このカラーレスＡＷＧ１０４の具体的な製品例としては、ＮＥＬ社のＡＷＧルータがある。カラーレスＡＷＧは、他方式と比べ、設計自由度が高く、また、小型・低コスト化が可能である。（参考資料：“Ｐｒｅｓｓ  Ｒｅｌｅａｓｅ”［ｏｎｌｉｎｅ］、２００３年３月２０日、ＮＴＴエレクトロニクス株式会社、［平成１６年７月１５日検索］、インターネット＜ＵＲＬ：ｈｔｔｐ：／／ｗｗｗ．ｎｅｌ．ｃｏ．ｊｐ／ｎｅｗ／ｉｎｆｏｒｍａｔｉｏｎ／２００３＿０３＿２０．ｈｔｍｌ＞）
【００５１】
（ドロップ部の構成例）
次に、図１８〜図２５を用いて、ドロップ部の各種構成例を説明する。図１８は、ドロップ部の構成例１を示す図である。図１８に示すドロップ部１１０は、Ｎ個の出力ポートを有する固定波長の光分波器１１１により構成したものである。この光分波器１１１を用いた場合、光分波器１１１に設けられる各出力ポートは固定波長対応であるため、波長制限付ＤＯＡＤＭの機能拡張が行える。このドロップ部１１０を上述したコア部３０（図６〜図９参照）のドロップ側ポートに接続し、光分波器１１１のポートの一部を送信用として用い、さらに他の一部をＷＸＣ用として用いることにより、ＷＸＣを備えたＲＯＡＤＭ構成への機能拡張が行える。図１８に示したドロップ部１１０を上記コア部３０のドロップ側ポートに接続することにより、簡易で低コストなＯＡＤＭを構築することができる。
【００５２】
図１９−１は、ドロップ部の構成例２を示す図である。図１９−１に示すドロップ部１１０は、１×Ｎポート波長選択スイッチ（ＷＳＳ）１２１により構成したものである。また、図１９−２は、ドロップ部の構成例３を示す図である。図１９−２に示す例は、図１９−１に示した基本構成である１×Ｎポート波長選択スイッチ１２１を複数（図示の例では２つ）設け、１×２光カプラ１２２の出力を、これら各波長選択スイッチ１２１の入力側のポートに接続した構成である。
【００５３】
図１９−２に示す構成の光カプラ１２２は、ドロップ部１１０のチャネル数を増やす場合に設ける。このような構成例の場合、任意波長型ＤＯＡＤＭを実現できる。これらのドロップ部１１０を上述したコア部３０（図６〜図９参照）のドロップ側ポートに接続することで、少数波長対応ＤＯＡＤＭから多波長対応ＤＯＡＤＭへの機能拡張が行える。このような構成によれば、ドロップ部１１０は、上記コア部３０のドロップ側ポートに容易に接続可能であり、かつ、コア部３０のドロップ側の各ポートに任意波長の信号を伝送できるようになる。
【００５４】
図２０は、ドロップ部の構成例４を示す図である。このドロップ部１１０は、１×Ｎ光カプラ１３１と、この光カプラ１３１のＮ個の各出力ポートにそれぞれ波長可変光フィルタ１３２を設けて構成したものである。また、必要に応じて光カプラ１３１の入力側に光増幅器１３３を備えてもよい。このような構成により、任意波長型ＤＯＡＤＭを実現できる。このドロップ部１１０を上述したコア部３０（図６〜図９参照）のドロップ側ポートに接続することで、少数波長対応ＤＯＡＤＭから多波長対応ＤＯＡＤＭへの機能拡張が行える。このドロップ部１１０を上記コア部３０のドロップ側ポートに接続することにより、簡易で低コストなＯＡＤＭを構築することが可能である。
【００５５】
図２１は、ドロップ部の構成例５を示す図である。このドロップ部１１０は、Ｎ個の出力ポートを有する光分波器１４１と、Ｎ×Ｎマトリックススイッチ１４２とにより構成したものである。また、必要に応じて光分波器１４１の入力側に光増幅器１４３を備えてもよい。このような構成により、任意波長型ＤＯＡＤＭを実現できる。このドロップ部１１０を上述したコア部３０（図６〜図９参照）のドロップ側ポートに接続することで、少数波長対応ＤＯＡＤＭから多波長対応ＤＯＡＤＭへの機能拡張が行える。また、上記コア部３０のドロップ側ポートに必要な波長ポート数のマトリックススイッチ１４２を接続することで、ドロップ側各ポートに任意波長の信号を伝送できるようになる。この際、初期導入時には使用しない台数も含めて複数台用意しておくといった必要がなくなる。
【００５６】
図２２〜図２５は、ドロップ部にグルーピングフィルタを適用した構成例である。図２２は、ドロップ部の構成例６を示す図である。このドロップ部１５０は、１×Ｎグルーピ
ングフィルタ１５１を備えて構成されている。この構成によれば、グルーピングフィルタ１５１の各ポートは割り当てられた複数波長に対応しており、波長制限付ＤＯＡＤＭを実現する。
【００５７】
図２３は、ドロップ部の構成例７を示す図である。このドロップ部１５０は、１×Ｎグルーピングフィルタとしてインタリーバ１５２を備えて構成されている。インタリーバ１５２の内部構成の詳細は後述する。インタリーバ１５２は、ドロップ信号の波長を、Ｎ個の各ポートに割り当てられた波長の中から１波ずつ割り当てることで、ドロップ部機能を実現する。
【００５８】
図２４は、ドロップ部の構成例８を示す図である。このドロップ部１５０は、１×Ｎグルーピングフィルタとして帯域分割フィルタ（ＢＤＦ）１５３を備えている。帯域分割フィルタ１５３の内部構成の詳細は後述する。帯域分割フィルタ１５３は、ドロップ信号の波長を、帯域分割フィルタのＮ個の各ポートに割り当てられた波長の中から１波ずつ割り当てることで、ドロップ部機能を実現する。
【００５９】
図２５は、ドロップ部の構成例９を示す図である。このドロップ部１５０は、１×ＮグルーピングフィルタとしてカラーレスＡＷＧ１５４を備えている。このカラーレスＡＷＧ１５４は、ドロップ信号の波長を、Ｎ個の各ポートに割り当てられた波長の中から１波ずつ割り当てることで、ドロップ部機能を実現する。
【００６０】
（伝送信号の波長間隔を変更する構成例−インタリーバの適用例）
図２６は、波長間隔を変更するコア部の構成を示す図である。このコア部１６０は、ＢＨｚ／２ＢＨｚ入力側インタリーバ１６１と、インタリーバ１６１に接続される２つの１×２光カプラ１６２ａ，１６２ｂと、ドロップ用の２つの１×Ｎポート２ＢＨｚ間隔波長選択スイッチ（ＷＳＳ）１６３ａ，１６３ｂと、ＢＨｚ／２ＢＨｚ出力側インタリーバ１６４と、アド用の２つのＭ×１ポート２ＢＨｚ間隔波長選択スイッチ（ＷＳＳ）１６５ａ，１６５ｂとを備えたものであり、ＢＨｚ（例えば、５０ＧＨｚ）間隔の伝送信号に対応可能である。出力側インタリーバ１６４は、２ＢＨｚの間隔の伝送信号をＢＨｚに戻して出力する。なお、２ＢＨｚとはＢＨｚの２倍の周波数である（Ｂ＝５０Ｇの場合、２ＢＨｚ＝１００ＧＨｚ）。
【００６１】
このコア部１６０のドロップ用の波長選択スイッチ１６３ａ，１６３ｂのポートに、さらに不図示の波長選択スイッチやグルーピングフィルタ等を接続したり、アド用のポートに光カプラ等を接続することで、少数波長対応ＤＯＡＤＭから多波長対応ＤＯＡＤＭへの機能拡張が行える。また、波長選択スイッチを複数組み合わせる等でＷＸＣへの機能拡張が行える。特に、波長選択スイッチの設計、製造上の問題として、波長間隔を狭くした場合にポート数が制限されることがあったが、上記構成のコア部１６０によれば、信号の波長間隔（ＢＨｚ）の倍の間隔（２ＢＨｚ）に対応した波長選択スイッチ１６３ａ，１６３ｂ，１６５ａ，１６５ｂを用いて容易に実現できるようになる。
【００６２】
図２７は、波長間隔を変更するアド部の構成例を示す図である。このアド部１７０は、ＢＨｚ／２ＢＨｚインタリーバ１７１と、Ｍ×１ポート２ＢＨｚ間隔波長選択スイッチ（ＷＳＳ）１７２とを備えている。これにより、伝送信号がＢＨｚであっても、波長選択スイッチ１７２において扱う波長間隔を２ＢＨｚに拡げる（緩和させる）ことができる。このアド部１７０を、図２６のコア部１６０のアド側ポートに接続することにより、少数波長対応ＤＯＡＤＭから多波長対応ＤＯＡＤＭへの機能拡張が行える。
【００６３】
図２８は、波長間隔を変更するドロップ部の構成例を示す図である。このドロップ部１８０は、ＢＨｚ／２ＢＨｚインタリーバ１８１と、２ＢＨｚ間隔波長選択スイッチ（ＷＳ
Ｓ）１８２とを備えている。これにより、伝送信号がＢＨｚであっても、波長選択スイッチ１８２において扱う波長間隔を２ＢＨｚに拡げる（緩和させる）ことができる。このドロップ部１８０を、図２６のコア部１６０のドロップ側ポートに接続することにより、少数波長対応ＤＯＡＤＭから多波長対応ＤＯＡＤＭへの機能拡張が行える。
【００６４】
図２９は、インタリーバを用いたコア部の機能拡張例を示す図である。コア部１９０ａは、機能拡張前（初期導入時）であり、このときの伝送信号は、ＢＨｚである。通信容量の少ない初期導入時には、一対のインタリーバ１９１，１９２の間に、１×２光カプラ１９３ａと、１×Ｎポート２ＢＨｚ間隔波長選択スイッチ（ＷＳＳ）１９４ａと、Ｍ×１ポート２ＢＨｚ間隔波長選択スイッチ（ＷＳＳ）１９５ａを配置して装置運用を開始する。
【００６５】
そして、通信容量が増大し、装置増設が必要になった場合には、機能拡張を行う。このときのコア部１９０ｂは、一対のインタリーバ１９１，１９２の間に、もう１組の１×２光カプラ１９３ｂと、１×Ｎポート２ＢＨｚ間隔波長選択スイッチ（ＷＳＳ）１９４ｂと、Ｍ×１ポート２ＢＨｚ間隔波長選択スイッチ（ＷＳＳ）１９５ｂとを増設すればよい。これにより伝送信号を運用しながら増設することが可能であるため、汎用の波長選択スイッチを用いてアド、ドロップのポート数を増やすことができ、内部構成の置き換えが不要であり、低コストで、機能拡張できるようになる。
【００６６】
（光信号パワー制御の構成例）
次に、上述したコア部内の各部における光パワーの制御について説明する。はじめに、図３０−１は、コア部における光パワーの制御の構成例１を示す図である。コア部２００は、１×２光カプラ２０１と、ドロップ用の１×Ｎポート波長選択スイッチ（ＷＳＳ）２０２と、アド用のＭ×１ポート波長選択スイッチ（ＷＳＳ）２０３とを備える。そして、Ｍ×１ポート波長選択スイッチ２０３の出力部に、パワーモニタ用の分岐部と、光パワーのモニタ２０４を配置する。モニタ２０４はＰＤ等の光検出器を備え、光信号の強度を検出する。そして、波長選択スイッチ２０３内部で、このコア部２００を通過するスルー信号（主信号）と、アド信号のチャネルごとの光結合を調整して光パワー制御が行える。
【００６７】
図３０−２は、コア部における光パワーの制御の構成例２を示す図である。このコア部２１０は、ドロップ用の１×Ｎポート波長選択スイッチ（ＷＳＳ）２１１と、アド用のＭ×１ポート波長選択スイッチ（ＷＳＳ）２１２とを備えている。そして、Ｍ×１ポート波長選択スイッチ２１２の出力部に、パワーモニタ用の分岐部と、光パワーのモニタ２１３を配置する。これにより、コア部２１０を通過するスルー信号（主信号）と、アド信号のチャネルごとの光結合を調整して光パワー制御が行える。
【００６８】
次に、図３１は、コア部における光パワーの制御の構成例３を示す図である。このコア部２２０は、１×２光カプラ２２１と、ドロップ用の１×Ｎポート波長選択スイッチ（ＷＳＳ）２２２と、アド用のＭ×１ポート波長選択スイッチ（ＷＳＳ）２２３とを備えている。ドロップ部の波長選択スイッチ２２２の出力部にパワーモニタ用の分岐部と、モニタ２２４を配置する。そして、波長選択スイッチ２２２の内部でチャネルごとに光結合を調整することで、波長選択スイッチ２２２から出力される光パワーレベルを調整する。これにより、ドロップ信号のチャネルごとの光パワーレベルを制御できる。
【００６９】
図３２−１は、コア部における光パワーの制御の構成例４を示す図である。このコア部２３０は、ドロップ用の１×Ｎポート波長選択スイッチ（ＷＳＳ）２３１と、２×１光カプラ２３２と、アド用のＭ×１ポート波長選択スイッチ（ＷＳＳ）２３３とを備える。そして、波長選択スイッチ２３１の出力部にパワーモニタ用の分岐部とモニタ２３４を設ける。波長選択スイッチ２３１の内部でチャネルごとに光結合を調整することで、波長選択スイッチ２３１の出力部の光パワーレベルを調整する。これにより、コア部２３０を通過
するスルー信号（主信号）と、ドロップ信号のチャネルごとの光パワー制御が行える。
【００７０】
図３２−２は、コア部における光パワーの制御の構成例５を示す図である。このコア部２４０は、ドロップ用の１×Ｎポート波長選択スイッチ（ＷＳＳ）２４１と、アド用のＭ×１ポート波長選択スイッチ（ＷＳＳ）２４２とを備えている。そして、波長選択スイッチ２４１の出力部に、パワーモニタ用の分岐部と、光パワーのモニタ２４３を配置する。波長選択スイッチ２４１の内部でチャネルごとに光結合を調整することにより、コア部２４０を通過するスルー信号（主信号）と、ドロップ信号のチャネルごとの光パワー制御が行える。
【００７１】
図３３は、コア部における光パワーの制御の構成例６を示す図である。このコア部２５０は、ドロップ用の１×Ｎポート波長選択スイッチ（ＷＳＳ）２５１と、２×１光カプラ２５２と、アド用のＭ×１ポート波長選択スイッチ（ＷＳＳ）２５３とを備えている。そして、波長選択スイッチ２５３の出力部にパワーモニタ用の分岐部と、モニタ２５４を配置する。波長選択スイッチ２５３の内部でチャネルごとに光結合を調整することにより、ドロップ信号のチャネルごとの光パワー制御が行える。
【００７２】
以上説明したコア部における光パワーの制御の構成例１〜６（図３０−１〜図３３）におけるモニタ２０４〜モニタ２５４に代えて、光スペクトルモニタを用いて構成することもできる。また、モニタとして、光パワーモニタアレイを用いて構成することもできる。
【００７３】
（インサービスアップグレード例１）
次に、この発明の光分岐挿入装置のインサービスアップグレード例１を説明する。図３４−１は、初期導入時における光分岐挿入装置の構成を示す図である。この光分岐挿入装置３００ａは、少数波長対応（ＬＣＣ）ＤＯＡＤＭを構成している。図示のように、光分岐挿入装置３００ａのコア部３０１ａは、１×２光カプラ３１０と、ドロップ用として１×８ポートの５０ＧＨｚ間隔波長選択スイッチ（ＷＳＳ）３１１と、アド用として９×１ポートの５０ＧＨｚ間隔波長選択スイッチ（ＷＳＳ）３１２とを備えて構成されている。このコア部３０１ａには、それぞれドロップ部（ｄｒｏｐ）３０２ａと、アド部（ａｄｄ）３０３ａが接続される。この構成においてコア部３０１ａがドロップ部３０２ａに分岐させる信号数は最大で８ポート分、アド部３０３ａから挿入させる信号数は最大で９ポート分である。これら分岐、挿入する信号の一部は、図示しない波長クロスコネクト装置等に分岐、挿入することもできる。
【００７４】
図３４−２は、図３４−１に示した光分岐挿入装置の拡張例１を示す図である。この光分岐挿入装置３００ｂのコア部３０１ａは、図３４−１の構成と同様であり、変更していない。そして、ドロップ部３０２ａとアド部３０３ａの構成を変更している。新たなドロップ部３０２ｂには、光分波器（ＤｅＭｕｘ）３２１を設け、アド部３０３ｂには、光合波器（Ｍｕｘ）３２２を設ける。これにより、光分岐挿入装置３００ｂは、波長クロスコネクト機能をサポートするＲＯＡＤＭに機能拡張することができる。
【００７５】
図３４−３は、図３４−１に示した光分岐挿入装置の拡張例２を示す図である。この光分岐挿入装置３００ｃのコア部３０１ａは、図３４−１の構成と同様であり、変更していない。そして、ドロップ部３０２ａとアド部３０３ａをドロップ部３０２ｃとアド部３０３ｃに変更している。ドロップ部３０２ｃには、１×８ポートの５０ＧＨｚ間隔波長選択スイッチ（ＷＳＳ）３３１を配置し、アド部３０３ｃには、１６×１ポート光カプラ（ＣＰＬ）３３３を配置している。なお、図示のように、ドロップ部３０２ｃに１×２光カプラ３３２を設けることにより、コア部３０１ａの一つのポートから分岐（ドロップ）された信号を、複数の１×８ポートの５０ＧＨｚ間隔波長選択スイッチ（ＷＳＳ）３３１に分岐させることもできる。アド部３０３ｃについても、１６×１ポート光カプラ３３３を複数配置させることができる。これにより、光分岐挿入装置３００ｃは、多波長対応（ＨＣＣ）ＤＯＡＤＭに機能拡張することができる。
【００７６】
さらに、コア部３０１ａの１×８ポートの５０ＧＨｚ間隔波長選択スイッチ（ＷＳＳ）３１１のポートの一部にドロップ部３０２ｃの１×８ポートの５０ＧＨｚ間隔波長選択スイッチ（ＷＳＳ）３３１を接続し、残りのポートを図示しない波長クロスコネクト装置に接続することで、波長クロスコネクト機能をサポートする多波長対応ＤＯＡＤＭに機能拡張することができる。
【００７７】
図３４−４は、図３４−１に示した光分岐挿入装置の拡張例３を示す図である。この光分岐挿入装置３００ｄのコア部３０１ａは、図３４−１の構成と同様であり、その数を４つ（コア部１〜コア部４）に増設したものである。これにより方路数を１から４に増やすことができ、ＷＸＣ構成に機能拡張することができる。この図３４−４への機能拡張は、他に、ＲＯＡＤＭ（図３４−２参照）への機能拡張後に行ったり、多波長対応（ＨＣＣ）ＤＯＡＤＭ（図３４−３参照）への機能拡張後に行うこともできる。なお、図３４−４では、便宜上、ドロップ部とアド部の構成の記載を省略している。
【００７８】
図３４−５は、図３４−１に示した光分岐挿入装置の拡張例４を示す図である。この光分岐挿入装置３００ｅは、図３４−３に示したドロップ部３０２ｃと、アド部３０３ｃの構成を変形した例である。ドロップ部３０２ｅに１×１０グルーピングフィルタ（ＧＦ）３４１を設け、アド部３０３ｅに１６×１ポート光カプラ（ＣＰＬ）３４２を設けた例である。これにより、光分岐挿入装置３００ｅは、多波長対応（ＨＣＣ）ＤＯＡＤＭに機能拡張することができる。グルーピングフィルタ３４１は、ＷＳＳ３３１（図３４−３参照）に比して安価であり、低コスト化を図ることができる。
【００７９】
さらに、コア部３０１ａの１×８ポートの５０ＧＨｚ間隔波長選択スイッチ（ＷＳＳ）３１１のポートの一部にドロップ部３０２ｅのグルーピングフィルタ３４１を接続し、残りのポートを図示しない波長クロスコネクト装置に接続することで、波長クロスコネクト機能をサポートする波長制限付ＤＯＡＤＭに機能拡張することができる。
【００８０】
これら図３４−２〜図３４−５に示した機能拡張の構成は、コア部３０１ａを交換することなく行えるため、システム運用中であってもファイバのつなぎ換えを行う必要がなく、主信号を切断せずに機能拡張することができる。
【００８１】
（インサービスアップグレード例２）
次に、この発明の光分岐挿入装置のインサービスアップグレード例２を説明する。図３５−１は、初期導入時における光分岐挿入装置の構成を示す図である。この光分岐挿入装置３５０ａは、少数波長対応（ＬＣＣ）ＤＯＡＤＭを構成している。図示のように、光分岐挿入装置３５０ａのコア部３５１ａは、入力側と出力側に一対の５０ＧＨｚ／１００ＧＨｚインタリーバ（ＩＬ）３５２ａ，３５２ｂを備える。インタリーバ３５２ａには２つの１×２光カプラ３５３ａ，３５３ｂと、ドロップ用として２つの１×８ポートの１００ＧＨｚ間隔波長選択スイッチ（ＷＳＳ）３５４ａ，３５４ｂと、アド用として２つの９×１ポートの１００ＧＨｚ間隔波長選択スイッチ（ＷＳＳ）３５５ａ，３５５ｂとを備えて構成されている。
【００８２】
このコア部３５１ａには、それぞれドロップ部３６１ａと、アド部３６２ａが接続される。この構成においてコア部３５１ａがドロップ部３６１ａに分岐（ドロップ）させる信号数は最大で１６ポート分、アド部３６２ａから挿入（アド）させる信号数は最大で１８ポート分である。これら分岐、挿入する信号の一部は、図示しない波長クロスコネクト装置等に分岐、挿入することもできる。
【００８３】
図３５−２は、図３５−１に示した光分岐挿入装置の拡張例１を示す図である。この光分岐挿入装置３５０ｂのコア部３５１ａは、図３５−１の構成と同様であり、変更していない。そして、ドロップ部３６１ａとアド部３６２ａの構成を変更している。ドロップ部３６１ｂには、２つの光分波器（ＤｅＭｕｘ）３６３ａ，３６３ｂを設け、アド部３６２ｂには、光合波器（Ｍｕｘ）３６４ａ，３６４ｂを設ける。これにより、光分岐挿入装置３５０ｂは、波長クロスコネクト機能をサポートするＲＯＡＤＭに機能拡張することができる。
【００８４】
図３５−３は、図３５−１に示した光分岐挿入装置の拡張例２を示す図である。この光分岐挿入装置３５０ｃのコア部３５１ａは、図３５−１の構成と同様である。そして、ドロップ部３６１ａとアド部３６２ａの構成を変更している。ドロップ部３６１ｃに２つの１×１６グルーピングフィルタ（ＧＦ）３７１ａ，３７１ｂを設け、アド部３６２ｃに２つの１６×１ポート光カプラ（ＣＰＬ）３７２ａ，３７２ｂを設けた例である。これにより、光分岐挿入装置３５０ｃは、波長クロスコネクト機能をサポートする波長制限付の多波長（ＨＣＣ）ＤＯＡＤＭに機能拡張することができる。ドロップ部３６１ｃには、必要なドロップ（分岐）のチャネル数に対応してより多くのグルーピングフィルタを設けることができる。同様に、アド部３６２ｃにも、必要なアド（挿入）のチャネル数に対応してより多くの光カプラを設けることができる。これら分岐、挿入する信号の一部は、図示しない波長クロスコネクト装置等に分岐、挿入することもできる。
【００８５】
図３５−４は、図３５−１に示した光分岐挿入装置の拡張例３を示す図である。この光分岐挿入装置３５０ｄのコア部３５１ａは、図３５−１の構成と同様であり、その数を４つ（コア部１〜コア部４）に増設したものである。これにより方路数を１から４に増やすことができ、ＷＸＣ構成に機能拡張することができる。この図３５−４への機能拡張は、他に、ＲＯＡＤＭ（図３５−２参照）への機能拡張後に行ったり、多波長対応（ＨＣＣ）ＤＯＡＤＭ（図３５−３参照）への機能拡張後に行うこともできる。なお、図３５−４では、便宜上、ドロップ部とアド部の構成の記載を省略している。
【００８６】
これら図３５−２〜図３５−４に示した機能拡張の構成は、コア部３５１ａを交換することなく行えるため、システム運用中であってもファイバのつなぎ換えをすることなく、主信号を切断せずに機能拡張することができる。
【００８７】
（インサービスアップグレード例３）
次に、この発明の光分岐挿入装置のインサービスアップグレード例３を説明する。図３６−１は、初期導入時における光分岐挿入装置の構成を示す図である。この光分岐挿入装置３８０ａは、ＲＯＡＤＭを構成している。この光分岐挿入装置３８０ａのコア部３８１ａは、１×２光カプラ３９１と、５０ＧＨｚ間隔波長ブロッカー（ＷＢ）３９２と、２×１光カプラ３９３とによって構成されている。ドロップ部３８２ａには、光分波器（ＤｅＭｕｘ）４００が設けられ、アド部３８３ａには、光合波器（Ｍｕｘ）４０１が設けられている。
【００８８】
図３６−２は、図３６−１に示した光分岐挿入装置の拡張例１を示す図である。この光分岐挿入装置３８０ｂのコア部３８１ａは、図３６−１の構成と同様であり、変更していない。そして、コア部３８１ａのドロップ側ポートに光分波用の１×８ポート５０ＧＨｚ間隔波長選択スイッチ（ＷＳＳ）３９５を設ける。また、アド用ポートに光合波用の８×１ポート５０ＧＨｚ間隔波長選択スイッチ（ＷＳＳ）３９６を設ける。これらはコア部３８１ａとは別にユニット化されたコア部３８１ｂとして追加配置する。これにより、光分岐挿入装置３８０ｂは、少数波長対応（ＬＣＣ）ＤＯＡＤＭとして機能拡張が行える。この構成の場合、図３６−１に記載したドロップ部３８２ａに設けられる光分波器４００と、アド部３８３ａに設けられる光合波器４０１は、取り外して他の装置に用いることもで
きる。また、波長選択スイッチ３９５の出力ポートの一部、波長選択スイッチ３９６の入力ポートの一部を図示しない波長クロスコネクト装置に分岐、挿入することもできる。
【００８９】
図３６−３は、図３６−１に示した光分岐挿入装置の拡張例２を示す図である。この光分岐挿入装置３８０ｃのコア部３８１ａは、図３６−１の構成と同様であり、変更していない。そして、コア部３８１ｂのドロップ側ポートに光分波用の１×８ポート５０ＧＨｚ間隔波長選択スイッチ（ＷＳＳ）３９５を設ける。また、アド用ポートに光合波用の８×１ポート５０ＧＨｚ間隔波長選択スイッチ（ＷＳＳ）３９６を設ける。ドロップ側の波長選択スイッチ３９５の出力ポートの一つ以上は、ドロップ部３８２ａの光分波器（ＤｅＭｕｘ）４００に接続され、アド側の波長選択スイッチ３９６の入力ポートの一つ以上は、アド部３８３ａの光合波器（Ｍｕｘ）４０１に接続される。これにより、光分岐挿入装置３８０ｃは、波長クロスコネクト機能をサポートするＲＯＡＤＭとして機能拡張が行える。この光分岐挿入装置３８０ｃは、光分岐挿入装置３８０ｂ（図３６−２参照）を機能拡張して構成することもできる。
【００９０】
図３６−４は、図３６−１に示した光分岐挿入装置の拡張例３を示す図である。図３６−４に示す光分岐挿入装置３８０ｄの直前の機能状態は、（ＬＣＣ）ＤＯＡＤＭによる光分岐挿入装置３８０ｂ（図３６−２参照）である。コア部３８１ａ，３８１ｂの構成は変更していない。そして、ドロップ部３８２ｂには、１×２光カプラ４１１と、２つの１×８ポート５０ＧＨｚ間隔波長選択スイッチ（ＷＳＳ）４１２を設ける。また、アド部３８３ｂは、１６×１ポート光カプラ（ＣＰＬ）４１３を設けて構成する。これにより、多波長対応（ＨＣＣ）ＤＯＡＤＭへの機能拡張が行える。なお、ドロップ部３８２ｂに設ける光カプラ４１１と、波長選択スイッチ４１２の個数と、アド部３８３ｂに設ける光カプラ４１３の個数は、いずれも必要なポート数だけ増設することができる。また、波長選択スイッチ３９５の出力ポートの一部、波長選択スイッチ３９６の入力ポートの一部を図示しない波長クロスコネクト装置に分岐、挿入することもできる。
【００９１】
図３６−５は、図３６−１に示した光分岐挿入装置の拡張例４を示す図である。図３６−５に示す光分岐挿入装置３８０ｅの直前の機能状態は、ＲＯＡＤＭの機能状態の光分岐挿入装置３８０ｃ（図３６−３参照）、または、（ＨＣＣ）ＤＯＡＤＭの機能状態の光分岐挿入装置３８０ｄ（図３６−４参照）である。上述した一対のコア部３８１ａ，３８１ｂを複数接続することにより、ＷＸＣを有する光分岐挿入装置３８０ｅへの機能拡張が行える。なお、図３６−５においては便宜上、一つのコア部に上記一対のコア部３８１ａ，３８１ｂの機能を記載した。なお、ドロップ部３８２ａ，３８２ｂや、アド部３８３ａ，３８３ｂの構成は不図示としたが、これらの各コア部に接続される。
【００９２】
また、図３６−６は、図３６−１に示した光分岐挿入装置の拡張例５を示す図である。図３６−６に示す光分岐挿入装置３８０ｆは、（ＨＣＣ）ＤＯＡＤＭの機能拡張状態であり、図３６−４に示した構成に代えることができる他の構成例である。この図３６−６に示す光分岐挿入装置３８０ｆは、ドロップ部３８２ｃに、１×１６ポートのグルーピングフィルタ（ＧＦ）４１６を配置したものである。アド部３８３ｂは、１６×１ポート光カプラ（ＣＰＬ）４１３を用いている。この図３６−６に示す構成例においても、この後に、図３６−５に示すＷＸＣへの機能拡張が可能である。
【００９３】
これら図３６−２〜図３６−６に示した機能拡張の構成は、コア部３８１ａを交換することなく行えるため、システム運用中であってもファイバのつなぎ換えを行う必要がなく、主信号を切断せずに機能拡張することができる。
【００９４】
（インサービスアップグレード例４）
次に、この発明の光分岐挿入装置のインサービスアップグレード例４を説明する。図３
７−１は、初期導入時における光分岐挿入装置の構成を示す図である。この光分岐挿入装置４３０ａは、ＲＯＡＤＭを構成している。この光分岐挿入装置４３０ａのコア部４３１１ａは、１×２光カプラ４３２と、５０ＧＨｚ間隔波長ブロッカー（ＷＢ）４３３と、２×１光カプラ４３４とによって構成されている。コア部４３１ａと別にモジュール化されたコア部４３１ｂには、ドロップ側のポートに接続される５０ＧＨｚ／１００ＧＨｚインタリーバ（ＩＬ）４３５と、アド側のポートに接続される１００ＧＨｚ／５０ＧＨｚインタリーバ（ＩＬ）４３６が設けられている。また、ドロップ部４３２ａには２つの光分波器（ＤｅＭｕｘ）４４１が設けられ、アド部４３３ａには２つの光合波器（Ｍｕｘ）４４２が設けられている。
【００９５】
図３７−２は、図３７−１に示した光分岐挿入装置の拡張例１を示す図である。この光分岐挿入装置４３０ｂのコア部４３１ａ，４３１ｂは、図３７−１の構成と同様であり、変更していない。そして、コア部４３１ｂには、さらに別のユニット化されたコア部４３１ｃを接続する。このコア部４３１ｃは、ドロップ用の複数の１×８ポートの１００ＧＨｚ間隔波長選択スイッチ（ＷＳＳ）４５１と、アド用の複数の８×１ポートの１００ＧＨｚ間隔波長選択スイッチ（ＷＳＳ）４５２を備える。これにより、光分岐挿入装置４３０ｂは、少数波長対応（ＬＣＣ）ＯＡＤＭとした機能拡張が行える。また、波長選択スイッチ（ＷＳＳ）４５１の出力ポートの一部、波長選択スイッチ（ＷＳＳ）４５２の入力ポートの一部を図示しない波長クロスコネクト装置に分岐、挿入することもできる。この構成の場合、図３７−１に記載したドロップ部４３２ａに設けられる光分波器４４１と、アド部４３３ａに設けられる光合波器４４２は、取り外して他の装置に用いることもできる。
【００９６】
図３７−３は、図３７−１に示した光分岐挿入装置の拡張例２を示す図である。図３７−２に示す少数波長対応（ＬＣＣ）ＤＯＡＤＭの機能からの機能拡張について説明する。この光分岐挿入装置４３０ｃのコア部４３１ａ，４３１ｂ，４３１ｃは、図３７−２の構成と同様であり、変更していない。
【００９７】
そして、ドロップ側の波長選択スイッチ４５１の出力ポートの一つ以上は、ドロップ部４３２ａの光分波器（ＤｅＭｕｘ）４４１に接続され、アド側の波長選択スイッチ４５２の入力ポートの一つは、アド部４３３ａの光合波器（Ｍｕｘ）４４２に接続される。これにより、光分岐挿入装置４３０ｃは、波長クロスコネクト機能をサポートするＲＯＡＤＭとして機能拡張が行える。この光分岐挿入装置４３０ｃは、光分岐挿入装置４３０ａ（図３７−１参照）を機能拡張して構成することもできる。図３７−１の初期状態からの変更時には、コア部４３１ｃを上述のように追加配置すればよい。
【００９８】
図３７−４は、図３７−１に示した光分岐挿入装置の拡張例３を示す図である。図３７−４に示す光分岐挿入装置４３０ｄの直前の機能状態は、少数波長対応（ＬＣＣ）ＤＯＡＤＭによる光分岐挿入装置（図３７−２参照）である。コア部４３１ａ，４３１ｂ，４３１ｃの構成は変更していない。そして、ドロップ部４３２ｂには、１×１０ポートのグルーピングフィルタ（ＧＦ）４５５を設ける。また、アド部４３３ｂには、１６×１ポート光カプラ（ＣＰＬ）４５６を設ける。これにより、多波長対応（ＨＣＣ）ＤＯＡＤＭへの機能拡張が行える。また、波長選択スイッチ４５１の出力ポートの一部、波長選択スイッチ４５２の入力ポートの一部を図示しない波長クロスコネクト装置に分岐、挿入することもできる。なお、ドロップ部４３２ｂに設けるグルーピングフィルタ４５５の個数と、アド部４３３ｂに設ける光カプラ４５６の個数は、いずれも必要なポート数だけ増設することができる。
【００９９】
図３７−５は、図３７−１に示した光分岐挿入装置の拡張例４を示す図である。図３７−５に示す光分岐挿入装置４３０ｅの直前の機能状態は、ＲＯＡＤＭの機能状態の光分岐挿入装置（図３７−３参照）４３０ｃ、または、（ＨＣＣ）ＤＯＡＤＭの機能状態の光分岐挿入装置（図３６−４参照）４３０ｄである。上述した３つのユニットからなる１組
のコア部４３１ａ，４３１ｂ，４３１ｃを複数接続することにより、ＷＸＣを有する光分岐挿入装置４３０ｅへの機能拡張が行える。なお、図３７−５においては便宜上、一つのコア部に上記３つのユニットのコア部４３１ａ，４３１ｂ，４３１ｃを記載した。また、ドロップ部４３２ａ，４３２ｂや、アド部４３３ａ，４３３ｂの構成は不図示としたが、各コア部４３１ａ，４３１ｂ，４３１ｃにそれぞれ接続される。
【０１００】
これら図３７−２〜図３７−５に示した機能拡張の構成は、コア部４３１ａを交換することなく行えるため、システム運用中であってもファイバのつなぎ換えをすることなく、主信号を切断することなく機能拡張することができる。
【０１０１】
（インサービスアップグレード例５）
次に、この発明の光分岐挿入装置のインサービスアップグレード例５を説明する。図３８−１は、初期導入時における光分岐挿入装置の構成を示す図である。この光分岐挿入装置５００ａは、ＲＯＡＤＭを構成している。この光分岐挿入装置５００ａのコア部５０１ａは、１×２光カプラ５１１と、４×１ポート波長選択スイッチ（ＷＳＳ）５１２とによって構成されている。ドロップ部５０２ａには、１×Ｎポート光分波器（ＤｅＭｕｘ）５１５が設けられ、アド部５０３ａにはＭ×１ポート光合波器（Ｍｕｘ）５１６が設けられている。
【０１０２】
図３８−２は、図３８−１に示した光分岐挿入装置の拡張例１を示す図である。この光分岐挿入装置５００ｂのコア部５０１ａは、図３８−１の構成と同様であり、変更していない。そして、コア部５０１ａには、さらに別のユニット化されたコア部５０１ｂを接続する。このコア部５０１ｂは、ドロップ用の１×３光カプラ（ＣＰＬ）５２０を備える。光カプラ５２０の一つの出力ポートをドロップ部５０２ａに接続し、他の出力ポートは、波長クロスコネクト機能を有するように機能拡張することができる。
【０１０３】
図３８−３は、図３８−１に示した光分岐挿入装置の拡張例２を示す図である。この光分岐挿入装置５００ｃは、図３８−２に示した一対のコア部５０１ａ，５０１ｂを複数組（図示の例では４組）配置して、ＷＸＣに機能拡張したものである。この構成例によれば、上述した図５７に示した２つのリングの伝送経路Ａ，Ｂ間における信号の切り替えを行うことができる。
【０１０４】
図３８−３に示したドロップ用の光カプラ５２０の出力ポートと、アド用の波長選択スイッチ５１２の入力ポート間は、図示のように異なるコア部同士間で接続している。例えば、コア部１の光カプラ５２０の出力ポートは、コア部３と、コア部４の波長選択スイッチ５１２の入力ポートに接続している。コア部２の光カプラ５２０の出力ポートは、コア部３と、コア部４の波長選択スイッチ５１２の入力ポートに接続している。コア部３の光カプラ５２０の出力ポートは、コア部１と、コア部２の波長選択スイッチ５１２の入力ポートに接続している。コア部４の光カプラ５２０の出力ポートは、コア部１と、コア部２の波長選択スイッチ５１２の入力ポートに接続している。各コア部に入出力される伝送経路の方路は＃を用いて記載した。コア部１は方路＃１の入力を方路＃２に出力する。コア部２は方路＃２の入力を方路＃１に出力する。コア部３は方路＃３の入力を方路＃４に出力する。コア部４は方路＃４の入力を方路＃３に出力する。
【０１０５】
これにより、この光分岐挿入装置５００ｃは、４方路を備えた波長クロスコネクト構成であり、図５７に記載した方路＃１と方路＃２との間、方路＃１と方路＃３との間、方路＃１と方路＃４との間、方路＃２と方路＃３との間、方路＃２と方路＃４との間、方路＃３と方路＃４との間の信号の切り替えを行うことができるようになる。
【０１０６】
これら図３８−２，図３８−３に示した機能拡張の構成は、コア部５０１ａを交換する
ことなく行えるため、システム運用中であってもファイバのつなぎ換えをすることなく、主信号を切断することなく機能拡張することができる。
【０１０７】
（インサービスアップグレード例６）
次に、この発明の光分岐挿入装置のインサービスアップグレード例６を説明する。図３９−１は、初期導入時における光分岐挿入装置の構成を示す図である。この光分岐挿入装置５３０ａは、ＲＯＡＤＭを構成している。この光分岐挿入装置５３０ａのコア部５３１ａは、１×２光カプラ５３１と、３×１ポート波長選択スイッチ（ＷＳＳ）５３２とによって構成されている。ドロップ部５３２ａには、１×Ｎポート光分波器（ＤｅＭｕｘ）５４１が設けられ、アド部５３３ａにはＭ×１ポート光合波器（Ｍｕｘ）５４２が設けられている。
【０１０８】
図３９−２は、図３９−１に示した光分岐挿入装置の拡張例１を示す図である。この光分岐挿入装置５３０ｂのコア部５３１ａは、図３９−１の構成と同様であり、変更していない。そして、コア部５３１ａには、さらに別のユニット化されたコア部５３１ｂを接続する。このコア部５３１ｂは、ドロップ用の１×２光カプラ（ＣＰＬ）５４４を備える。光カプラ５４４の一つの出力ポートをドロップ部５３２ａに接続し、他の出力ポートは、波長クロスコネクト機能を有するように機能拡張することができる。
【０１０９】
図３９−３は、図３９−１に示した光分岐挿入装置の拡張例２を示す図である。この光分岐挿入装置５３０ｃは、図３９−２に示した一対のコア部５３１ａ，５３１ｂを複数組（図示の例では４組）配置して、ＷＸＣに機能拡張したものである。
【０１１０】
図３９−３に示したドロップ用の光カプラ５４４の出力ポートと、アド用の波長選択スイッチ５３２の入力ポート間は、図示のように異なるコア部同士で接続している。例えば、コア部１の光カプラ５４４の出力ポートは、コア部３の波長選択スイッチ５３２の入力ポートに接続している。コア部２の光カプラ５４４の出力ポートは、コア部４の波長選択スイッチ５３２の入力ポートに接続している。コア部３の光カプラ５４４の出力ポートは、コア部１の波長選択スイッチ５３２の入力ポートに接続している。コア部４の光カプラ５４４の出力ポートは、コア部２の波長選択スイッチ５３２の入力ポートに接続している。各コア部に入出力される伝送経路の方路は＃を用いて記載した。コア部１は方路＃１の入力を方路＃２に出力する。コア部２は方路＃２の入力を方路＃１に出力する。コア部３は方路＃３の入力を方路＃４に出力する。コア部４は方路＃４の入力を方路＃３に出力する。
【０１１１】
これら図３９−２，図３９−３に示した機能拡張の構成は、コア部５３１ａを交換することなく行えるため、システム運用中であってもファイバのつなぎ換えをすることなく、主信号を切断することなく機能拡張することができる。
【０１１２】
図３９−４は、図３９−３に示した機能拡張時における伝送経路間の信号切り替えを示す図である。ＷＸＣの光分岐挿入装置５３０ｃによる２つのリングの伝送経路Ａ（光ファイバ１３０１ａ，１３０１ｂ），伝送経路Ｂ（１３０２ａ，１３０２ｂ）間における信号の切り替えを示している。そして、図３９−３を用いて説明した光分岐挿入装置５３０ｃは、４方路を備えた波長クロスコネクト構成であり、方路＃１と方路＃２との間、方路＃１と方路＃４との間、方路＃２と方路＃３との間、方路＃３と方路＃４との間の信号の切り替えを行うことができるようになる。なお、この光分岐挿入装置５３０ｃの機能は、前述した光分岐挿入装置５００ｃ（図３８−３参照）に比べて切り替え可能な方路数が制限されているが、構成が簡易化できる利点を有している。
【０１１３】
（グルーピングフィルタ（ＧＦ）の各種構成例）
図４０−１は、グルーピングフィルタとしてのインタリーバをドロップ側に用いた構成例を示す図である。１×Ｎポート波長選択スイッチ（ＷＳＳ）５５０の出力の一つのポートにインタリーバ５５１を接続する。図示のように、伝送信号の波長数（λ）は最大８０波であり、グルーピングフィルタ（ＧＦ）として、１×８ポートのインタリーバ５５１を用いている。このインタリーバ５５１への入力信号は、５０ＧＨｚ間隔で最大８波になる。
【０１１４】
図示の例ではλ１，λ２，λ１４，λ２３，λ２７，λ５２，λ６９，λ８０である。インタリーバ５５１の内部では、一つの１００ＧＨｚ／５０ＧＨｚインタリーバ５５１ａと、２つの２００ＧＨｚ／１００ＧＨｚインタリーバ５５１ｂと、４つの４００ＧＨｚ／２００ＧＨｚインタリーバ５５１ｃが順に接続されている。これにより、入力された５０ＧＨｚ間隔の信号を合計８ポートの出力から分波でき、各ポートにそれぞれ１０波（１０λ）が割り当てられる。実運用時には、その１０波のうちの１波（例えばポート１はλ２３）が出力される。
【０１１５】
図４０−２は、グルーピングフィルタとしてのインタリーバをアド側に用いた構成例を示す図である。グルーピングフィルタ（ＧＦ）として、８×１ポートのインタリーバ（ＩＬ）５５３を用いている。このインタリーバ５５３への入力信号は、図示の例ではλ１，λ２，λ１４，λ２３，λ２７，λ５２，λ６９，λ８０である。インタリーバ５５３の内部では、４つの４００ＧＨｚ／２００ＧＨｚインタリーバ５５３ａと、２つの２００ＧＨｚ／１００ＧＨｚインタリーバ５５３ｂと、一つの１００ＧＨｚ／５０ＧＨｚインタリーバ５５３ｃが順に接続されている。これにより、合計８ポートの入力が行え、各ポートにそれぞれ１０波が割り当てられる。実運用時には、その１０波のうちの１波（例えばポート１はλ２３）が入力される。インタリーバ５５３の出力は、５０ＧＨｚ間隔の信号とされて、Ｎ×１ポート波長選択スイッチ（ＷＳＳ）５５４の入力の一つのポートに接続される。これらのインタリーバ５５１，５５３は、グルーピングフィルタとして用いる他の方式と比べて透過特性に優れている。
【０１１６】
次に、前述した各構成例について、グルーピングフィルタとしてインタリーバを用いたときの各種具体例について説明する。図３４−６は、図３４−５に示した光分岐挿入装置の具体的構成例を示す図である。図３４−７は、図３４−６に示したグルーピングフィルタ（ＧＦ）を構成するインタリーバを示す図である。図３４−５に示した構成において、コア部３０１ａへの主信号入力波長数が４０波長の場合、波長選択スイッチ３１１の出力ポート８本のうち５本にグルーピングフィルタ（ＧＦ）３４１としてインタリーバ３４３（図３４−７参照）を接続し、すべてのインタリーバ３４３の出力ポートに異なる波長を振り分ける。また、残りの３本を波長クロスコネクト装置へ接続することで、グルーピングフィルタ適用時の問題であった利用波長数の制限を克服し、主信号４０波長すべての信号がドロップ可能になると同時に波長クロスコネクト機能を実現することができる。
【０１１７】
図３４−８は、図３４−５に示した光分岐挿入装置の具体的構成例を示す図である。図３４−９は、図３４−８に示したグルーピングフィルタ（ＧＦ）を構成するインタリーバ３４３ａを示す図である。図３４−５に示した構成において、コア部３０１ａへの主信号入力波長数が８０波長の場合、波長選択スイッチ（ＷＳＳ）３１１の出力ポート８本のうち５本それぞれに１×２ポートの光カプラ３４６を接続し、光カプラ３４６の出力ポート２本それぞれにグルーピングフィルタ（ＧＦ）３４１として１×８ポートのインタリーバ３４３ａ（図３４−９参照）を接続し、すべてのインタリーバ３４３ａの出力ポートに異なる波長を振り分ける。また、残りの３本を波長クロスコネクト装置へ接続することで、グルーピングフィルタ適用時の問題であった利用波長数の制限を克服し、主信号８０波長すべての信号がドロップ可能になると同時に波長クロスコネクト機能を実現することができる。
【０１１８】
図３６−７は、図３６−６に示した光分岐挿入装置の具体的構成例を示す図である。図３６−８は、図３６−７に示したグルーピングフィルタ（ＧＦ）を構成するインタリーバを示す図である。図３６−６に示した構成において、コア部３８１ａへの主信号入力波長数が４０波長の場合、波長選択スイッチ（ＷＳＳ）３９５の出力ポート８本のうち５本にグルーピングフィルタ４１６として１×８ポートのインタリーバ４１７（図３６−８参照）を接続し、すべてのインタリーバ４１７の出力ポートに異なる波長を振り分け、また、残りの３本を波長クロスコネクト装置へ接続する。これにより、グルーピングフィルタ適用時の問題であった利用波長数の制限を克服し、主信号４０波長すべての信号がドロップ可能になると同時に波長クロスコネクト機能を実現することができる。
【０１１９】
図３６−９は、図３６−６に示した光分岐挿入装置の具体的構成例を示す図である。図３６−１０は、図３６−９に示したグルーピングフィルタ（ＧＦ）を構成するインタリーバを示す図である。図３６−６に示したコア部３８１ａへの主信号入力波長数が８０波長の場合、波長選択スイッチ（ＷＳＳ）３９５の出力ポート８本のうち５本それぞれに１×２ポートの光カプラ４１８を接続し、光カプラ４１８の出力ポート２本それぞれにグルーピングフィルタ（ＧＦ）４１６として１×８ポートのインタリーバ４１７（図３６−１０参照）を接続し、すべてのインタリーバ４１７の出力ポートに異なる波長を振り分け、また、残りの３本を波長クロスコネクト装置へ接続する。これにより、グルーピングフィルタ適用時の問題であった利用波長数の制限を克服し、主信号８０波長すべての信号がドロップ可能になると同時に波長クロスコネクト機能を実現することができる。
【０１２０】
図３５−５は、図３５−３に示した光分岐挿入装置の具体的構成例を示す図である。図３５−６は、図３５−５に示したグルーピングフィルタ（ＧＦ）を構成するインタリーバを示す図である。図３５−３に示した構成において、コア部３５１ａへの主信号入力波長数が８０波長の場合、波長選択スイッチ（ＷＳＳ）３５４ａ，３５４ｂそれぞれの出力ポート８本のうち５本にグルーピングフィルタ３７１ａ／３７１ｂとして１×８ポートのインタリーバ３７３（図３５−６参照）を接続し、すべてのインタリーバ３７３の出力ポートに異なる波長を振り分け、また、残りの３本を波長クロスコネクト装置へ接続する。これにより、グルーピングフィルタ適用時の問題であった利用波長数の制限を克服し主信号８０波長すべての信号がドロップ可能になると同時に波長クロスコネクト機能を実現することができる。
【０１２１】
図３７−６は、図３７−４に示した光分岐挿入装置の具体的構成例を示す図である。図３７−７は、図３７−６に示したグルーピングフィルタ（ＧＦ）を構成するインタリーバを示す図である。図３７−４に示した構成において、コア部４３１ａへの主信号入力波長数が８０波長の場合、波長選択スイッチ（ＷＳＳ）４５１それぞれの出力ポート８本のうち５本にグルーピングフィルタ（ＧＦ）４５５として１×８ポートのインタリーバ４５７を接続し、すべてのインタリーバ４５７の出力ポートに異なる波長を振り分け、また、残りの３本を波長クロスコネクト装置へ接続する。これにより、グルーピングフィルタ適用時の問題であった利用波長数の制限を克服し主信号８０波長すべての信号がドロップ可能になると同時に波長クロスコネクト機能を実現することができる。
【０１２２】
図４１−１は、グルーピングフィルタとしての帯域分割フィルタをドロップ側に用いた構成例を示す図である。１×Ｎポート波長選択スイッチ（ＷＳＳ）５６０の出力の一つのポートに帯域分割フィルタ（ＢＤＦ）５６１を接続する。図示のように、伝送信号の波長数（λ）は最大８０波であり、グルーピングフィルタ（ＧＦ）として、１×８ポートの帯域分割フィルタ５６１を用いている。帯域分割フィルタ５６１の８つの出力ポートは、それぞれに８波長（８λ）ずつ割り当てられ、そのうちの１波長が実運用に使用されることになる。
【０１２３】
図４１−２は、グルーピングフィルタとしての帯域分割フィルタをアド側に用いた構成
例を示す図である。８×１ポート帯域分割フィルタ（ＢＤＦ）５６３の８つの入力ポートは、それぞれに８波長ずつ割り当てられ、そのうちの１波長が実運用に使用されることになる。帯域分割フィルタ５６３の出力は、Ｎ×１ポート波長選択スイッチ（ＷＳＳ）５６４の入力の一つのポートに接続される。これらの帯域分割フィルタ５６１，５６３の性能によっては、使用不可な帯域（ガードバンド）の確保が必要になる場合もあり、このガードバンドによって使用可能な帯域が制限される場合も生じる。しかし、これらの帯域分割フィルタ５６１，５６３は、グルーピングフィルタとして用いる他の方式と比べて、低コストで実現が可能である。
【０１２４】
次に、前述した各構成例について、グルーピングフィルタとして帯域分割フィルタを用いたときの各種具体例について説明する。図３４−１０は、図３４−５に示した光分岐挿入装置の具体的構成例を示す図である。図３４−１１は、図３４−１０に示したグルーピングフィルタ（ＧＦ２，４）を構成する帯域分割フィルタ３４４ａを示す図である。図３４−１２は、図３４−１０に示したグルーピングフィルタ（ＧＦ１，３，５）を構成する帯域分割フィルタ３４４ｂを示す図である。図３４−５に示した構成において、コア部３０１ａへの主信号入力波長数が４０波長の場合、波長選択スイッチ（ＷＳＳ）３１１の出力ポート８本のうち５本にグルーピングフィルタ３４１として帯域分割フィルタ（ＢＤＦ）３４４ａ，３４４ｂを接続し、すべての帯域分割フィルタ３４４ａ，３４４ｂの出力ポートに異なる波長を振り分け、また、残りの３本を波長クロスコネクト装置へ接続する。これにより、グルーピングフィルタ適用時の問題であった利用波長数の制限を緩和し、４０波長分の信号がドロップ可能になると同時に波長クロスコネクト機能を実現することができる。
【０１２５】
図３４−１３は、図３４−５に示した光分岐挿入装置の具体的構成例を示す図である。図３４−１４は、図３４−１３に示したグルーピングフィルタ（ＧＦ２，４，６，８，１０）を構成する帯域分割フィルタ３４４ｃを示す図である。図３４−１５は、図３４−１３に示したグルーピングフィルタ（ＧＦ１，３，５，７，９）を構成する帯域分割フィルタ３４４ｄを示す図である。図３４−５に示したコア部３０１ａへの主信号入力波長数が８０波長の場合、波長選択スイッチ（ＷＳＳ）３１１の出力ポート８本のうち５本それぞれに１×２ポートの光カプラ３４４を接続し、光カプラ３４４の出力ポート２本それぞれにグルーピングフィルタ（ＧＦ）３４１として１×８ポートの帯域分割フィルタ３４４ｃ，３４４ｄを接続し、すべての帯域分割フィルタ３４４ｃ，３４４ｄの出力ポートに異なる波長を振り分け、また、残りの３本を波長クロスコネクト装置へ接続する。これにより、グルーピングフィルタ適用時の問題であった利用波長数の制限を克服し主信号８０波長すべての信号がドロップ可能になると同時に波長クロスコネクト機能を実現することができる。
【０１２６】
図３６−１１は、図３６−６に示した光分岐挿入装置の具体的構成例を示す図である。図３６−１２は、図３６−１１に示したグルーピングフィルタ（ＧＦ２，４）を構成する帯域分割フィルタ４１９ａを示す図である。図３６−１３は、図３６−１１に示したグルーピングフィルタ（ＧＦ１，３，５）を構成する帯域分割フィルタ４１９ｂを示す図である。図３６−６に示したコア部３８１ａへの主信号入力波長数が４０波長の場合、波長選択スイッチ（ＷＳＳ）３９５の出力ポート８本のうち５本にグルーピングフィルタ（ＧＦ）４１６として１×８ポートの帯域分割フィルタ４１９ａ，４１９ｂを接続し、すべての帯域分割フィルタ４１９ａ，４１９ｂの出力ポートに異なる波長を振り分け、また、残りの３本を波長クロスコネクト装置へ接続する。これにより、グルーピングフィルタ適用時の問題であった利用波長数の制限を克服し、主信号４０波長すべての信号がドロップ可能になると同時に波長クロスコネクト機能を実現することができる。
【０１２７】
図３６−１４は、図３６−６に示した光分岐挿入装置の具体的構成例を示す図である。
図３６−１５は、図３６−１４に示したグルーピングフィルタ（ＧＦ２，４，６，８，１０）を構成する帯域分割フィルタ４１９ｃを示す図である。図３６−１６は、図３６−１４に示したグルーピングフィルタ（ＧＦ１，３，５，７，９）を構成する帯域分割フィルタ４１９ｄを示す図である。図３６−６に示したコア部３８１ａへの主信号入力波長数が８０波長の場合、波長選択スイッチ（ＷＳＳ）３９５の出力ポート８本のうち５本それぞれに１×２ポートの光カプラ４１８を接続し、光カプラ４１８の出力ポート２本それぞれに１×８ポートの帯域分割フィルタ４１９ｃ，４１９ｄを接続し、すべての帯域分割フィルタ４１９ｃ，４１９ｄの出力ポートに異なる波長を振り分け、また、残りの３本を波長クロスコネクト装置へ接続する。これにより、グルーピングフィルタ適用時の問題であった利用波長数の制限を克服し、主信号８０波長すべての信号がドロップ可能になると同時に波長クロスコネクト機能を実現することができる。
【０１２８】
図３５−７は、図３５−３に示した光分岐挿入装置の具体的構成例を示す図である。図３５−８は、図３５−７に示したグルーピングフィルタ（ＧＦ２，４，６，８，１０）を構成する帯域分割フィルタ３７３ａを示す図である。図３５−９は、図３５−７に示したグルーピングフィルタ（ＧＦ１，３，５，７，９）を構成する帯域分割フィルタ３７３ｂを示す図である。図３５−３に示した構成において、コア部３５１ａへの主信号入力波長数が８０波長の場合、波長選択スイッチ（ＷＳＳ）３５４ａ，３５４ｂそれぞれの出力ポート８本のうち５本にグルーピングフィルタ（ＧＦ）３７１ａ／３７１ｂとして１×８ポートの帯域分割フィルタ３７３ａ，３７３ｂを接続し、すべての帯域分割フィルタ３７３ａ，３７３ｂの出力ポートに異なる波長を振り分け、また、残りの３本を波長クロスコネクト装置へ接続する。これにより、グルーピングフィルタ適用時の問題であった利用波長数の制限を克服し、主信号８０波長すべての信号をがロップ可能になると同時に波長クロスコネクト機能を実現することができる。
【０１２９】
図３７−８は、図３７−４に示した光分岐挿入装置の具体的構成例を示す図である。図３７−９は、図３７−８に示したグルーピングフィルタ（ＧＦ２，４，６，８，１０）を構成する帯域分割フィルタ４５８ａを示す図である。図３７−１０は、図３７−８に示したグルーピングフィルタ（ＧＦ１，３，５，７，９）を構成する帯域分割フィルタ４５８ｂを示す図である。図３７−４に示した構成において、コア部４３１ａへの主信号入力波長数が８０波長の場合、波長選択スイッチ（ＷＳＳ）４５１それぞれの出力ポート８本のうち５本にグルーピングフィルタ（ＧＦ）４５５として１×８ポートの帯域分割フィルタ４５８ａ，４５８ｂを接続し、すべての帯域分割フィルタ４５８ａ，４５８ｂの出力ポートに異なる波長を振り分け、また、残りの３本を図示しない波長クロスコネクト装置へ接続する。これにより、グルーピングフィルタ適用時の問題であった利用波長数の制限を克服し、主信号８０波長すべての信号がドロップ可能になると同時に波長クロスコネクト機能を実現することができる。
【０１３０】
図４２−１は、グルーピングフィルタとしてカラーレスＡＷＧをドロップ側に用いた構成例を示す図である。１×Ｎポート波長選択スイッチ（ＷＳＳ）５７０の出力の一つのポートにカラーレス（Ｃｏｌｏｒｌｅｓｓ）ＡＷＧ５７１を接続する。図示のように、伝送信号の波長数（λ）は最大８０波であり、グルーピングフィルタ（ＧＦ）として、１×１０ポートのカラーレスＡＷＧ５７１を用いている。カラーレスＡＷＧ５７１の１０個の出力ポートは、それぞれに４波長（４λ）ずつ割り当てられ、そのうちの１波長が実運用に使用されることになる。
【０１３１】
図４２−２は、グルーピングフィルタとしてカラーレスＡＷＧをアド側に用いた構成例を示す図である。１０×１ポートカラーレスＡＷＧ５７３の入力ポートは、それぞれに４波長ずつ割り当てられ、そのうちの１波長が実運用に使用されることになる。カラーレスＡＷＧ５７３の出力は、Ｎ×１ポート波長選択スイッチ（ＷＳＳ）５７４の入力の一つのポートに接続される。
【０１３２】
図３４−１６は、図３４−５に示した光分岐挿入装置の具体的構成例を示す図である。図３４−１７は、図３４−１６に示したグルーピングフィルタ（ＧＦ１〜５）を構成するカラーレスＡＷＧ３４５を示す図である。図３４−５に示したコア部３０１ａへの主信号入力波長数が４０波長の場合、波長選択スイッチ（ＷＳＳ）３１１の出力ポート８本のうち５本にグルーピングフィルタ（ＧＦ）３４１として１×８ポートのカラーレスＡＷＧ３４５を接続し、すべてのカラーレスＡＷＧ３４５の出力ポートに異なる波長を振り分け、また、残りの３本を波長クロスコネクト装置へ接続する。これにより、グルーピングフィルタ適用時の問題であった利用波長数の制限を克服し、主信号４０波長すべての信号がドロップ可能になると同時に波長クロスコネクト機能を実現することができる。
【０１３３】
図３４−１８は、図３４−５に示した光分岐挿入装置の具体的構成例を示す図である。図３４−１９は、図３４−１８に示したグルーピングフィルタ（ＧＦ２，４，６，８，１０）を構成するカラーレスＡＷＧ３４５ａを示す図である。図３４−２０は、図３４−１８に示したグルーピングフィルタ（ＧＦ１，３，５，７，９）を構成するカラーレスＡＷＧ３４５ｂを示す図である。図３４−５に示したコア部３０１ａへの主信号入力波長数が８０波長の場合、波長選択スイッチ（ＷＳＳ）３１１の出力ポート８本のうち５本それぞれに１×２ポートの光カプラ３４４を接続し、光カプラ３４４の出力ポート２本それぞれに１×８ポートのカラーレスＡＷＧ３４５ａ，３４５ｂを接続し、すべてのカラーレスＡＷＧ３４５ａ，３４５ｂの出力ポートに異なる波長を振り分け、また、残りの３本を波長クロスコネクト装置へ接続する。これにより、グルーピングフィルタ適用時の問題であった利用波長数の制限を克服し、主信号８０波長すべての信号がドロップ可能になると同時に波長クロスコネクト機能を実現することができる。
【０１３４】
図３６−１７は、図３６−６に示した光分岐挿入装置の具体的構成例を示す図である。図３６−１８は、図３６−１７に示したグルーピングフィルタ（ＧＦ１〜５）を構成するカラーレスＡＷＧ４２０を示す図である。図３６−６に示したコア部３８１ａへの主信号入力波長数が４０波長の場合、波長選択スイッチ（ＷＳＳ）３９５の出力ポート８本のうち５本にグルーピングフィルタ（ＧＦ）４１６として１×８ポートのカラーレスＡＷＧ４２０を接続し、すべてのカラーレスＡＷＧ（ＣＭＤＸ）４２０の出力ポートに異なる波長を振り分け、また、残りの３本を波長クロスコネクト装置へ接続する。これにより、グルーピングフィルタ適用時の問題であった利用波長数の制限を克服し、主信号４０波長すべての信号がドロップ可能になると同時に波長クロスコネクト機能を実現することができる。
【０１３５】
図３６−１９は、図３６−６に示した光分岐挿入装置の具体的構成例を示す図である。図３６−２０は、図３６−１９に示したグルーピングフィルタ（ＧＦ１，３，５，７，９）を構成するカラーレスＡＷＧ４２０ａを示す図である。図３６−２１は、図３６−１９に示したグルーピングフィルタ（ＧＦ２，４，６，８，１０）を構成するカラーレスＡＷＧ４２０ｂを示す図である。図３６−６に示したコア部３８１ａへの主信号入力波長数が８０波長の場合、波長選択スイッチ（ＷＳＳ）３９５の出力ポート８本のうち５本それぞれに１×２ポートの光カプラ４１８を接続し、光カプラ４１８の出力ポート２本それぞれに１×８ポートのカラーレスＡＷＧ（ＣＭＤＸ）４２０ａ，４２０ｂを接続し、すべてのカラーレスＡＷＧ（ＣＭＤＸ）４２０ａ，４２０ｂの出力ポートに異なる波長を振り分け、また、残りの３本を波長クロスコネクト装置へ接続する。これにより、グルーピングフィルタ適用時の問題であった利用波長数の制限を克服し、主信号８０波長すべての信号がドロップ可能になると同時に波長クロスコネクト機能を実現することができる。
【０１３６】
図３５−１０は、図３５−３に示した光分岐挿入装置の具体的構成例を示す図である。図３５−１１は、図３５−１０に示したグルーピングフィルタ（ＧＦ１，３，５，７，９
）を構成するカラーレスＡＷＧ３７４ａを示す図である。図３５−１２は、図３５−１０に示したグルーピングフィルタ（ＧＦ２，４，６，８，１０）を構成するカラーレスＡＷＧ３７４ｂを示す図である。図３５−３に示したコア部３５１ａへの主信号入力波長数が８０波長の場合、波長選択スイッチ（ＷＳＳ）３５４ａ，３５４ｂそれぞれの出力ポート８本のうち５本にグルーピングフィルタ（ＧＦ）３７１ａ／３７１ｂとして１×８ポートのカラーレスＡＷＧ３７４ａ，３７４ｂを接続し、すべてのカラーレスＡＷＧ３７４ａ，３７４ｂの出力ポートに異なる波長を振り分け、また、残りの３本を波長クロスコネクト装置へ接続する。これにより、グルーピングフィルタ適用時の問題であった利用波長数の制限を克服し、主信号８０波長すべての信号がドロップ可能になると同時に波長クロスコネクト機能を実現することができる。
【０１３７】
図３７−１１は、図３７−４に示した光分岐挿入装置の具体的構成例を示す図である。図３７−１２は、図３７−１１に示したグルーピングフィルタ（ＧＦ１，３，５，７，９）を構成するカラーレスＡＷＧ３７４ｃを示す図である。図３７−１３は、図３７−１１に示したグルーピングフィルタ（ＧＦ２，４，６，８，１０）を構成するカラーレスＡＷＧ（ＣＭＤＸ）３７４ｄを示す図である。図３７−４に示した構成において、コア部４３１ａへの主信号入力波長数が８０波長の場合、波長選択スイッチ（ＷＳＳ）４５１それぞれの出力ポート８本のうち５本にグルーピングフィルタ（ＧＦ）４５５として１×８ポートのカラーレスＡＷＧ３７４ｃ，３７４ｄを接続し、すべてのカラーレスＡＷＧ（ＣＭＤＸ）３７４ｃ，３７４ｄの出力ポートに異なる波長を振り分け、また、残りの３本を図示しない波長クロスコネクト装置へ接続する。これにより、グルーピングフィルタ適用時の問題であった利用波長数の制限を克服し、主信号８０波長すべての信号がドロップ可能になると同時に波長クロスコネクト機能を実現することができる。
【０１３８】
（光信号パワー制御の他の構成例）
次に、光パワーの制御に光スペクトルモニタを用いた例について説明する。図４３−１は、ドロップ信号の光パワーの制御に光スペクトルモニタを用いた例を示す図である。コア部５８０は、１×２光カプラ５８１と、Ｍ×１ポート波長選択スイッチ（ＷＳＳ）５８２と、ドロップ用に設けられた１×Ｎ波長選択スイッチ（ＷＳＳ）５８３とを有している。ドロップ側の各出力ポートには、それぞれ光カプラ５８４ａ〜５８４ｎを設ける。これら光カプラ５８４ａ〜５８４ｎによって分岐された光信号は、Ｎ×１光カプラ５８５によって結合され、光スペクトルモニタ５８６に入力される。光スペクトルモニタ５８６は、各ポートの光パワーが所要値になるよう、波長選択スイッチ（ＷＳＳ）５８３の各ポートの光結合状態を調整する。これにより、ドロップ側の光信号の光パワーを制御することができるようになる。
【０１３９】
図４３−２は、主信号およびドロップ信号の光パワーの制御に光スペクトルモニタを用いた例を示す図である。コア部５９０は、ドロップ用の１×Ｎポート波長選択スイッチ（ＷＳＳ）５９１と、２×１光カプラ５９２と、アド用のＭ×１波長選択スイッチ（ＷＳＳ）５９３とを有している。波長選択スイッチ５９１における主信号およびドロップ側の各出力ポートには、それぞれ光カプラ５９４ａ〜５９４ｎを設ける。これら光カプラ５９４ａ〜５９４ｎによって分岐された光信号は、Ｎ×１光カプラ５９５によって結合され、光スペクトルモニタ５９６に入力される。光スペクトルモニタ５９６は、各ポートの光パワーが所要値になるよう、波長選択スイッチ（ＷＳＳ）５９１の各ポートの光結合状態を調整する。これにより、主信号およびドロップ側の光信号の光パワーを制御することができるようになる。
【０１４０】
（インタリーバを用いたコア部の増設の具体例）
次に、コア部にインタリーバを用い、このコア部を増設する際の具体的構成例について説明する。図４４は、インタリーバを備えたコア部の増設例を示す図である。この光分岐
挿入装置６００の初期導入時におけるコア部６００ａは、４つの方路（＃１〜＃４）間での切り替えが可能に構成されている。
【０１４１】
４つの方路に対応して入力側に設けられる４つの５０／１００ＧＨｚインタリーバ６０１ａ〜６０１ｄと、出力側に設けられる４つの１００／５０ＧＨｚインタリーバ６０４ａ〜６０４ｄとを備える。これら入出力のインタリーバ間には、４つの１×４ポート１００ＧＨｚ間隔波長選択スイッチ（ＷＳＳ）６０２ａ〜６０２ｄと、４つの４×１ポート１００ＧＨｚ間隔波長選択スイッチ（ＷＳＳ）６０３ａ〜６０３ｄとが配置されている。波長選択スイッチ６０２ａ〜６０２ｄの出力ポートと、波長選択スイッチ６０３ａ〜６０３ｄの入力ポートは、必要な方路別の切り替えに応じて互いに接続されている。光分岐挿入装置６００に対して入出力される伝送信号は、５０ＧＨｚ間隔である。通信容量の少ない装置の初期導入時には、コア部６００ａは、偶数番号のチャネルを用いて装置運用を開始する。この際、伝送信号の波長間隔は１００ＧＨｚとなる。
【０１４２】
この後、通信容量が増大した場合には、コア部６００ｂを増設して機能拡張する。このコア部６００ｂは、コア部６００ａの入力側のインタリーバ６０１ａ〜６０１ｄに入力ポートが接続される１×４ポート１００ＧＨｚ間隔波長選択スイッチ（ＷＳＳ）６１０ａ〜６１０ｄと、出力ポートがコア部６００ａの出力側のインタリーバ６０４ａ〜６０４ｄに接続される４×１ポート１００ＧＨｚ間隔波長選択スイッチ（ＷＳＳ）６１１ａ〜６１１ｄを備える。そして、コア部６００ｂの増設時には、コア部６００ａが伝送信号の偶数番号のチャネルを扱い、コア部６００ｂは、伝送信号の奇数番号のチャネルを扱う。上記構成による機能拡張例によれば、初期導入時のコスト削減が可能となる。
【０１４３】
（コア部の内部におけるブロック化）
次に、上述したコア部の内部構成をブロック化した各種構成例について説明する。図４５−１は、コア部内のドロップ側の波長選択スイッチをブロック化した例を示す図である。コア部６２０は、１×２光カプラ６２１と、Ｍ×１波長選択スイッチ（ＷＳＳ）６２２を有する。また、ドロップ（分岐）させるポート数等に応じてドロップ用の１×Ｎ波長選択スイッチ（ＷＳＳ）６２３を備えたコアブロック６２０ａをコア部６２０に接続可能に構成する。これにより、ドロップ用の波長選択スイッチ６２３の必要の有無に応じて、ブロック化された部分のみ変更することが可能となる。
【０１４４】
図４５−２は、コア部内のアド側の波長選択スイッチをブロック化した例を示す図である。コア部６３０は、１×Ｎ波長選択スイッチ（ＷＳＳ）６３１と、２×１光カプラ６３２を有する。また、アド（挿入）させるポート数等に応じてアド用のＭ×１波長選択スイッチ（ＷＳＳ）６３３を備えたコアブロック６３０ａをコア部６３０に接続可能に構成する。これにより、アド用の波長選択スイッチ６３３の必要の有無に応じて、ブロック化された部分のみ変更することが可能となる。これらコア部内におけるドロップ側、あるいはアド側のブロック化は、上述した各種のインサービスアップグレード例において説明した機能拡張時におけるコア部の構成として適用することができる。
【０１４５】
（ＷＸＣ方路用ポートの拡張）
以上述べてきた光分岐挿入装置では、アド部、ドロップ部の挿入分岐用のポートの残りポートを波長クロスコネクト接続を行う方路用のポートとして利用していたが、方路数を固定して確保するためのＷＸＣ方路用ポートの拡張例を以下図を用いて説明する。
【０１４６】
図４６−１は、波長クロスコネクト機能を実現するための光分岐挿入装置の本発明における一般的な構成例を示す図である。光分岐挿入装置７００ａは、コア部７０１ａと、ドロップ部（ｄｒｏｐ）７０２ａと、アド部（ａｄｄ）７０３ａから構成される。このコア部７０１ａは、１×２光カプラ７１０ａと、１×２光カプラ７１０ａの一方の出力に接続されたドロップ用の１×７ポート波長選択スイッチ（ＷＳＳ）７１１ａと、１×２光カプラ７１０ａの他方の出力に接続されたアド用の８×１ポート波長選択スイッチ（ＷＳＳ）７１２ａから構成される。
【０１４７】
１×７ポート波長選択スイッチ（ＷＳＳ）７１１ａにはドロップ部（ｄｒｏｐ）７０２ａが接続され、８×１ポート波長選択スイッチ（ＷＳＳ）７１２ａにはアド部（ａｄｄ）７０３ａが接続され、さらに波長クロスコネクト機能（ＷＸＣ）を実現させるため、１×７ポート波長選択スイッチ（ＷＳＳ）７１１ａの出力側の２ポートと、８×１ポート波長選択スイッチ（ＷＳＳ）７１２ａの入力側の２ポート２ポートは他方路（＃３，＃４）へ接続されている。図示した波長選択スイッチ（ＷＳＳ）７１１ａ，７１２ａの入力および出力ポート数は、４方路の波長クロスコネクト機能を実現するための最低限の数である。したがって、ポート数の多い他の波長選択スイッチ（例えば、１×８や、９×１）を置換して利用することもできる。なお以下、図示する波長選択スイッチは、すべて必要最低限のポート数によって構成している。
【０１４８】
ドロップ部（ｄｒｏｐ）７０２ａは、複数の１×８ポート波長選択スイッチ７２１から構成されている。波長選択スイッチ（ＷＳＳ）７２１は、一つにつき８波長の分岐が可能であり、本実施の形態のように、４０波長（λ１〜λ４０）が多重化されている場合、すべての波長の信号光を分岐させたい場合は、波長選択スイッチ（ＷＳＳ）７２１が５つ必要となる。アド部（ａｄｄ）７０３ａは、複数の８×１光カプラ（ＣＰＬ）７３１と、８×１光カプラ（ＣＰＬ）７３１による減衰を回復させるため光増幅器７３２から構成されている。８×１光カプラ（ＣＰＬ）７３１は、一つにつき８波長の挿入が可能であり、すべての波長の信号光を挿入させたい場合は、５つの８×１光カプラ（ＣＰＬ）７３１が必要となる。なお、光増幅器７３２は、８×１光カプラ（ＣＰＬ）７３１により減衰される信号光を増幅したい場合に設ける。
【０１４９】
上述のようにコア部７０１ａに設けられた波長選択スイッチの出力用、入力用の各ポートは、例えば、８波長の信号光を挿入、分岐させたい場合は１ポート、１６波長の場合は２ポートと、アド用ポート、ドロップ用ポートとして必要なポート数を利用し、残ったポートを波長クロスコネクトスイッチ用として利用している。したがって、必要となるアド用、ドロップ用のポート数で、ＷＸＣとして利用できるポート数は変化する。すなわち方路数は、挿入、分岐させたい波長数に依存することになる。
【０１５０】
図４６−２は、アド部・ドロップ部のチャネル数と波長クロスコネクトの最大方路数との関係を示す図表である。横軸はアド・ドロップチャネル数、縦軸は、波長クロスコネクトの最大方路数を示し、アド部・ドロップ部にそれぞれ８×１（１×８）の素子を用いた場合の値を示す。したがって、アド・ドロップのチャネル数と波長クロスコネクトの最大方路数との関係は、［最大方路数＝（コア部のドロップ用の波長選択スイッチの出力ポートのうち、アド用以外の出力ポート数）＋２］となる。右辺の「＋２」は、図４６−１における主信号を透過させる方路＃２へのスルー（主信号）ポートと、入力ポートへの直接出力を行わない方路＃１のポートを指す。
【０１５１】
図４７および図４８は、図４６−１に示した光分岐挿入装置の方路用ポートの拡張例を示す図である。図４７に示す光分岐挿入装置７００ｂおよび図４８示す光分岐挿入装置７００ｃは、図中、コア部内の波長選択スイッチ（ＷＳＳ）のポート数が光分岐挿入機能を実現させるために最低限必要な数で示しているため、拡張例により数が異なっている。実際の光分岐挿入装置においては、ドロップ用には１×８の、アド用には９×１ポート波長選択スイッチ（ＷＳＳ）を用いているため、光分岐挿入装置７００ｂと光分岐挿入装置７００ｃは、同一のコア部から構成されているといえる。
【０１５２】
図４７の光分岐挿入装置７００ｂのコア部７０１ｂは、ドロップ用に備えた１×６ポート波長選択スイッチ（ＷＳＳ）７１１ｂの出力側の５ポートをドロップ部（ｄｒｏｐ）７０２ａへ接続し、アド用に備えた９×１ポート波長選択スイッチ（ＷＳＳ）７１２ｂの入力側の５ポートをアド部７０３ａへ接続したものである。１×６ポート波長選択スイッチ（ＷＳＳ）７１１ｂからドロップ部（ｄｒｏｐ）７０２ａへ接続するポート数と、９×１ポート波長選択スイッチ（ＷＳＳ）７１２ｂへアド部（ａｄｄ）７０３ａから接続するポート数は、それぞれ５ポート（４０波長分）に固定し、多重化された信号光すべて（λ１〜λ４０）の分岐、挿入を可能とする。また、方路へ接続するためのポート数を増やすために、ドロップ用の１×６ポート波長選択スイッチ（ＷＳＳ）７１１ｂからの出力の１ポートに方路への出力用の拡張素子７４１として１×６ポート波長選択スイッチ（ＷＳＳ）７４２を接続し、アド用の９×１ポート波長選択スイッチ（ＷＳＳ）７１２ｂの入力側の３ポートへ、方路からの入力用の拡張素子７５１として２×１光カプラ７５２を接続した。
【０１５３】
また、図４７では、方路へ出力される信号光の増幅を行うための光増幅器７４３が１×６ポート波長選択スイッチ（ＷＳＳ）７１１ｂと拡張素子７４１との間に設けられているが、この光増幅器７４３は、方路用のポート出力、入力どちらか一方にあればよい。したがって、光増幅器７４３を拡張素子７５１と９×１ポート波長選択スイッチ（ＷＳＳ）７１２ｂの間に設けてもよい。
【０１５４】
図４８の光分岐挿入装置７００ｃのコア部７０１ｃは、ドロップ用に備えた１×８ポート波長選択スイッチ７１１ｃの出力側の５ポートをドロップ部（ｄｒｏｐ）７０２ａへ接続し、アド用に備えた７×１ポート波長選択スイッチ（ＷＳＳ）７１２ｃの入力側の５ポートをアド部７０３ａへ接続したものである。このように、７×１ポート波長選択スイッチ（ＷＳＳ）７１１ｃからドロップ部（ｄｒｏｐ）７０２ａへ接続するポート数と、７×１ポート波長選択スイッチ（ＷＳＳ）７１２ｃからアド部（ａｄｄ）７０３ａへ接続するポート数は、それぞれ５ポート（４０波長分）に固定し、多重化された信号光すべて（λ１〜λ４０）の分岐、挿入を可能とする。
【０１５５】
また、光分岐挿入装置７００ｃは、ドロップ用の１×８ポート波長選択スイッチ（ＷＳＳ）７１１ｃの出力側の３ポートに拡張素子７４１として３つの１×２光カプラ７４４を接続し、アド用の７×１ポート波長選択スイッチ（ＷＳＳ）７１２ｃの入力側の１ポートへ、拡張素子７５１として６×１ポート波長選択スイッチ（ＷＳＳ）７５３を接続している点で、光分岐挿入装置７００ｂ（図４７参照）と異なる。拡張素子７４１に光カプラ７４４を用いることで、方路によっては不要な信号光が入力される事態が生じるため、コア部７０１ｃのアド用の７×１ポート波長選択スイッチ（ＷＳＳ）７１２ｃで不要な信号光を遮断するように制御を行う。
【０１５６】
このように、図４７および図４８に示す拡張例では、他方路へ接続を行うため、ドロップ用、アド用それぞれの波長選択スイッチ（ＷＳＳ）に方路の拡張素子（７４１，７５１）を設けることで、独立した６ポートを確保できる。すなわち、挿入、分岐したい波長数に関係なく、常に８方路の波長クロスコネクト機能を構成することができる。なお、拡張素子（７４１，７５１）に光カプラ（７４４，７５２）を用いると、複数の同一波長の信号光が合波され、光干渉による信号劣化を起こす恐れがある。したがって、光カプラを用いる場合は、出力用の拡張素子７４１または入力用の拡張素子７５１のいずれか一方のみに排他的に備え、図４７または図４８に示すように、拡張素子（７４１，７５１）のどちらか一方は、波長選択スイッチ（ＷＳＳ）を配置する。このように、拡張素子（７４１，７５１）に光カプラを用いるときは、以下に図を用いて説明する光分岐挿入装置においても同様に一方の拡張素子のみに排他的に備える。
【０１５７】
図４９〜図５１は、コア部に１×２光カプラを追加した場合の光分岐挿入装置の方路用ポートの拡張例を示す図である。図４９〜図５１に示す光分岐挿入装置のコア部（７０１ｄ，７０１ｅ，７０１ｆ）は、光分岐挿入装置７００ａ（図４６−１参照）のコア部７０１ａの１×２光カプラ７１０ａのドロップ部（ｄｒｏｐ）７０２ａへの出力とドロップ部（ｄｒｏｐ）７０２ａへの分岐を行う１×７ポート波長選択スイッチ（ＷＳＳ）７１１ａとの間に拡張素子７１３として１×２光カプラ７１０ｂを追加した構成となっている。
【０１５８】
また、図４９〜図５１に示す光分岐挿入装置のコア部のドロップ用、アド用それぞれの波長選択スイッチ（ＷＳＳ）のポート数は、機能を実現するための必要最低限のポート数によって構成しているが、実際の光分岐挿入装置においては、ドロップ用には１×８、アド用には９×１ポート波長選択スイッチ（ＷＳＳ）を用いている。したがって、図４９〜図５１のコア部（７０１ｄ，７０１ｅ，７０１ｆ）は、同一の構成といえる。また、コア部の拡張素子７１３と方路への拡張素子７４１の間には、方路へ出力される信号光の増幅を行うための光増幅器７４３が備えられているが、これは、方路の挿入側、分岐側のどちらか一方に備えればよい。
【０１５９】
図４９に示す光分岐挿入装置７００ｄは、コア部７０１ｄに備えた拡張素子７１３の一方にドロップ用の１×５ポート波長選択スイッチ（ＷＳＳ）７１１ｄを接続し、さらにドロップ用の１×５ポート波長選択スイッチ（ＷＳＳ）７１１ｄの出力側の５ポートは、ドロップ部（ｄｒｏｐ）７０２ａに接続される。拡張素子７１３の他方には、方路への拡張素子７４１としての一つの１×２光カプラ７４４を接続している。アド用の８×１ポート波長選択スイッチ（ＷＳＳ）７１２ａの入力用の５ポートはアド部（ａｄｄ）７０３ａから接続され、２ポートは他方路から接続され、４方路の波長クロスコネクト機能が構成される。
【０１６０】
このように、コア部７０１ｄにおいてドロップ部７０２ａへ接続するポートと、方路への拡張素子７４１へ接続するポートを分離することで、挿入、分岐を行う波長数の増減と、クロスコネクト機能のための方路数の拡張を互いに独立して行える。さらに、拡張素子７４１に光カプラ７４４を用いることで波長選択スイッチを用いた場合と比較し、構成の簡易化と低コスト化を図ることができる。また、必要に応じて、拡張素子７４１としての光カプラ７４４の前後には、コア部７０１ｄの拡張素子７１３による光損失を補償するための光増幅器７４３を備えてもよい。
【０１６１】
図５０に示す光分岐挿入装置７００ｅは、光分岐挿入装置７００ｄ（図４９参照）と同様のコア部７０１ｅからなるが、拡張素子７１３の一方に方路への拡張素子７４１としての１×６ポート波長選択スイッチ７４２を接続し、アド用の９×１ポート波長選択スイッチ（ＷＳＳ）７１２ｂの入力側の５ポートにアド部（ａｄｄ）７０３ａから接続され、３ポートに方路からの拡張素子７５１としての３つの２×１光カプラ７５２を接続している点で異なる。
【０１６２】
このようにして８方路の波長クロスコネクト機能が構成され、さらなる方路数の拡大も可能となる。また、拡張素子７４１としての１×６ポート波長選択スイッチ７４２の前後には、必要に応じて、コア部７０１ｅの拡張素子７１３による光損失を補償するための光増幅器７４３を備えてもよい。
【０１６３】
図５１に示す光分岐挿入装置７００ｆは、光分岐挿入装置７００ｄ（図４９参照）と同様のコア部７０１ｆからなるが、拡張素子７１３の一方に方路への拡張素子７４１としての１×６光カプラ（ＣＰＬ）７４５を接続し、アド用の７×１ポート波長選択スイッチ（ＷＳＳ）７１２ｃの入力側の５ポートへアド部（ａｄｄ）７０２ａから接続し、１ポートへ拡張素子７５１として一つの６×１ポート波長選択スイッチ７５３から接続している点で異なる。
【０１６４】
このようにして８方路の波長クロスコネクト機能が構成されている。拡張素子７４１に光カプラ７４５を用いることで方路によっては不要な信号光が入力される事態が生じるが、コア部７０１ｆのアド用の７×１ポート波長選択スイッチ（ＷＳＳ）７１２ｃで不要な信号光を遮断するように制御を行う。また、方路への拡張素子７４１として用いる１×６光カプラ（ＣＰＬ）７４５は、１×２光カプラ７４４（図４９参照）に比べて光損失が大きいため、光分岐挿入装置７００ｄ，７００ｅ同程度の方路への出力を要する場合は、１×６光カプラ７４５の前後に光損失を補償するための光増幅器７４３を備える必要がある。
【０１６５】
なお、拡張素子（７４１，７５１）に光カプラ（７４４，７４５，７５２）を用いると、複数の同一波長の信号光が合波され、光干渉による信号劣化を起こす恐れがある。したがって、図５０または図５１に示すように、拡張素子（７４１，７５１）のどちらか一方は、波長選択スイッチ（ＷＳＳ）を配置しなければならない。
【０１６６】
図５２〜図５４は、コア部のドロップ側に１×６光カプラを用いた場合の光分岐挿入装置の方路用ポートの拡張例を示す図である。図５２〜図５４に示す光分岐挿入装置のコア部（７０１ｇ，７０１ｈ，７０１ｉ）は、光分岐挿入装置７００ａ（図４６−１参照）のコア部７０１ａのドロップ用の１×７ポート波長選択スイッチ（ＷＳＳ）７１１ａに替えて、拡張素子７１３としての機能も兼ねた１×６光カプラ７４５をドロップ側に備えた構成となっている。
【０１６７】
図５２〜図５４に示す光分岐挿入装置のコア部のドロップ用、アド用それぞれの波長選択スイッチ（ＷＳＳ）のポート数は、機能を実現するための必要最低限のポート数によって構成しているが、ドロップ用には１×８、アド用には９×１ポート波長選択スイッチ（ＷＳＳ）を用いることで同様の機能を実現できる。したがって、実際には図５２〜図５４のコア部（７０１ｇ，７０１ｈ，７０１ｉ）は、同一の構成といえる。また、１×２光カプラと比べ１×６光カプラは、光損失が大きいため、必要に応じて、ドロップ部（ｄｒｏｐ）７０２ａの各波長選択スイッチ７２１の入力側にに光損失を補償するための光増幅器７４３を備えてもよい。
【０１６８】
図５２に示す光分岐挿入装置７００ｇは、コア部７０１ｇのドロップ用に備えた拡張素子７１３としての１×６光カプラ７４５の出力側の５ポートをドロップ用に固定して接続し、残りの１ポートを方路への拡張素子７４１としての１×２光カプラ７４４へ接続している。アド用の８×１ポート波長選択スイッチ（ＷＳＳ）７１２ａは、入力側の５ポートがアド部７０３ａから接続され、２ポートが他方路から接続されている。
【０１６９】
このようにドロップ部（ｄｒｏｐ）７０２ａと方路への拡張素子７４１を分離することで４方路の波長クロスコネクト機能が構成される。方路数を４つに限定することで、方路への拡張素子７４１に波長選択スイッチ（ＷＳＳ）を利用することなく、低コストで方路が独立した構成を有することができる。
【０１７０】
図５３に示す光分岐挿入装置７００ｈは、光分岐挿入装置７００ｇ（図５２参照）と同様のコア部７０１ｈからなるが、ドロップ用の拡張素子７１３から、方路への拡張素子７４１として１×６ポート波長選択スイッチ（ＷＳＳ）７４２を接続し、アド用の９×１ポート波長選択スイッチ（ＷＳＳ）７１２ｂは、入力側の５ポートがアド部７０３ａから接続され、３ポートが方路からの拡張素子７５１として２×１光カプラ７５２が接続される点で異なる。
【０１７１】
このようにして８方路の波長クロスコネクト機能を構成し、さらなる方路数の拡大も可能となる。また、拡張素子７４１としての１×６光選択スイッチ７４２の前後には、必要に応じて、コア部７０１ｈの拡張素子７１３による光損失を補償するため、光増幅器７４３を備えてもよい。
【０１７２】
図５４に示す光分岐挿入装置７００ｉは、光分岐挿入装置７００ｇ（図５２参照）と同様のコア部７０１ｉからなるが、ドロップ用の拡張素子７１３から、方路への拡張素子７４１として１×６光カプラ７４５を接続し、アド用の７×１ポート波長選択スイッチ（ＷＳＳ）７１２ｃは、入力側の５ポートへアド部７０３ａから接続され、１ポートへ方路からの拡張素子７５１として６×１ポートの波長選択スイッチ（ＷＳＳ）７５３が接続されている点で異なる。
【０１７３】
このようにして８方路の波長クロスコネクト機能を構成している。拡張素子７４１に光カプラ７４５を用いることで、方路によっては不要な信号光が入力される事態が生じるが、コア部７０１ｉのアド用の７×１ポート波長選択スイッチ（ＷＳＳ）７１２ｃで不要な信号光を遮断するように制御を行う。また、拡張素子７４１としての１×６光カプラ（ＣＰＬ）７４５の前後には、必要に応じて、コア部７０１ｉの拡張素子７１３による光損失を補償するための光増幅器７４３を備えてもよい。
【０１７４】
なお、拡張素子（７４１，７５１）に光カプラ（７４４，７４５，７５２）を用いると、複数の同一波長の信号光が合波され、光干渉による信号劣化を起こす恐れがある。したがって、図５３または図５４に示すように、拡張素子（７４１，７５１）のどちらか一方は、波長選択スイッチ（ＷＳＳ）を配置する。
【０１７５】
以上述べた図４７から図５３の光分岐挿入装置のドロップ部（ｄｒｏｐ）７０２ａは、波長選択スイッチの替わりに光カプラ、マトリックススイッチ、グルーピングフィルタを用いてもよい。また、アド部（ａｄｄ）７０３ａも、光カプラの替わりに波長選択スイッチ、マトリックススイッチ、グルーピングフィルタを用いてもよい。
【０１７６】
図５５および図５６は、ＲＯＡＤＭによるＷＸＣ方路用ポートの拡張例を示す図である。図４６−１〜図５４に示した光分岐挿入装置は、いずれもＤＯＡＤＭとして任意波長の挿入、分岐を機能の前提として構成したものである。図５５および図５６に示す光分岐挿入装置７００ｊ，７００ｋは、ＲＯＡＤＭとして構成されており、固定された波長の信号光について挿入、分岐を行う。この場合、アド用、ドロップ用の合分波器としては、ＡＷＧのような固定波長素子を適用し、一つの素子で全波長信号の挿入、分岐が行えることが特徴である。
【０１７７】
したがって、ＲＯＡＤＭによる構成は、ＤＯＡＤＭによる構成に比べ、コア部７０１ｊのアド用の４×１ポート波長選択スイッチ（ＷＳＳ）７１２ｊのポートのうち、より多くのポートを方路用に割り当てることができる。図５５および図５６は、機能を実現するための必要最低限のポート数を示したものである。実際の光分岐挿入装置（７００ｊ，７００ｋ）においては、アド用は、９×１ポート波長選択スイッチが用いられているため、図５５および図５６に示したコア部７０１ｊとコア部７０１ｋは、同一のコア部から構成されているといえる。
【０１７８】
図５５に示す光分岐挿入装置７００ｊは、コア部７０１ｊと、ドロップ部（ｄｒｏｐ）７０２ｊと、アド部（ａｄｄ）７０３ｊから構成される。コア部７０１ｊは、１×２光カプラ７１０ａと、１×２光カプラ７１０ａの一方に接続されたドロップ用の接続を行う拡張素子７１３としての１×２光カプラ７１０ｂと、１×２光カプラ７１０ａの他方に接続されたアド用の４×１ポート波長選択スイッチ（ＷＳＳ）７１２ｊから構成される。拡張素子７１３としての１×２光カプラ７１０ｂの一方には、光分波器７２２から構成されたドロップ部（ｄｒｏｐ）７０２ｊが接続され、他方には、方路への拡張素子７４１としての１×２光カプラ７４４が接続されている。アド用の４×１ポート波長選択スイッチ（ＷＳＳ）７１２ｊは、入力側の１ポートへ光合波器７３３から構成されたアド部（ａｄｄ）７０３ｊから接続され、２ポートが他方路からの接続となる。
【０１７９】
このようにして４方路の波長クロスコネクト機能を構成している。コア部７０１ｊの拡張素子７１３によって、ドロップ部７０２ｊへ接続する信号と、方路へ接続する信号とを分離する。また、４方路に限定したことで方路への信号光の減衰が少なく簡易な構成で機能を実現することができる。
【０１８０】
図５６に示す光分岐挿入装置７００ｋは、光分岐挿入装置７００ｊ（図５５参照）と同様のコア部７０１ｋからなるが、方路への拡張素子７４１として１×６光カプラ（ＣＰＬ）７４５を接続し、コア部７０１ｊの８×１ポート波長選択スイッチ７１２ａは、入力側の１ポートがアド部７０３ｊから接続され、６ポートが他方路からの接続としている点で異なる。
【０１８１】
このようにして８方路の波長クロスコネクト機能を構成している。拡張素子７４１に光カプラ７４５を用いることで、方路によっては不要な信号光が入力される事態が生じるが、コア部７０１ｋのアド用の８×１ポート波長選択スイッチ（ＷＳＳ）７１２ａで遮断するように制御を行う。また、拡張素子７４１の前後に１×６光カプラ（ＣＰＬ）７４５を用いたことによる光損失を補償するための光増幅器７４３を備えてもよい。
【０１８２】
このように、図５５および図５６に示した光分岐挿入装置７００ｊ，７００ｋは、ＤＯＡＤＭによる構成と異なり、アド部およびドロップ部への接続には各１ポートしか必要としないため、方路への拡張素子７４１に波長選択スイッチ（ＷＳＳ）を備える必要もなく、低コストで機能を実現することができる。また、図４９〜図５１に示す光分岐挿入装置７００ｄ，７００ｅ，７００ｆのコア部（７０１ｄ，７０１ｅ，７０１ｆ）と比較すると、その差異はドロップ用の拡張素子７１３としての１×２光カプラ７１０ｂの出力側の１ポートに１×５ポート波長選択スイッチ７１１ｄが追加されている点である（図４９〜図５１参照）。したがって、＃１ｉｎから＃２ｏｕｔへ透過する主信号と他の方路から入力された信号、もしくは他の方路へ出力する信号に関しては、切断することなく光分岐挿入装置７００ｊ，７００ｋから光分岐挿入装置７００ｄ，７００ｅ，７００ｆへ機能拡張（インサービスアップグレード）することができる。
【０１８３】
このように図４７〜図５６を用いて述べた光分岐挿入装置のＷＸＣ方路用ポートの拡張例では、方路数を固定して確保でき、光分岐挿入装置の入力ポートから出力ポートを通過するスルー経路を切断することなくＷＸＣ方路用ポート拡張が行える。
【０１８４】
以上説明したように、光分岐挿入装置によれば、少数波長の分岐、挿入を行う初期導入時に最小限の装置構成とし、この後に多波長の分岐、挿入や、方路数の増大時には、それぞれに対応した構成を追加することにより、機能拡張を行えるようになる。この際、伝送信号が通過するアド部の交換を行わずに済むため、伝送信号を切断することなく機能拡張するインサービスアップグレードが可能となる。
【０１８５】
（付記１）波長多重されて入力ポートに入力される入力光を波長ごとに伝送経路別の複数の異なる方路の出力ポートへの出力光とする光路の切り替え、所定波長の信号光の分岐あるいは挿入を行う光分岐挿入装置において、
コア部を設け、
前記コア部は、
前記入力ポートへの入力光を前記出力ポートに通過させるスルーの経路と、
所定波長の前記入力光を分岐させる分岐用出力ポートと、
前記入力光に所定波長の前記信号光を挿入する挿入用入力ポートと、
を備えたことを特徴とする光分岐挿入装置。
【０１８６】
（付記２）前記コア部の分岐用出力ポートに接続され、当該分岐用出力ポートから分岐された前記入力光を波長ごとに分波して複数出力するドロップ部を設けたことを特徴とする付記１に記載の光分岐挿入装置。
【０１８７】
（付記３）前記コア部の分岐用出力ポートを複数設け、当該複数の分岐用出力ポートの一部は前記ドロップ部に接続されるとともに、他の一部は波長クロスコネクトに分岐接続されることを特徴とする付記２に記載の光分岐挿入装置。
【０１８８】
（付記４）前記コア部の分岐用出力ポートは、１×Ｎ光カプラの出力ポートを用いることを特徴とする付記１に記載の光分岐挿入装置。
【０１８９】
（付記５）前記コア部の分岐用出力ポートは、１×Ｎ波長選択スイッチの出力ポートを用いることを特徴とする付記１に記載の光分岐挿入装置。
【０１９０】
（付記６）前記コア部の挿入用入力ポートに接続され、当該挿入用入力ポートに挿入する複数の波長の前記信号光を波長ごとに合波するアド部を設けたことを特徴とする付記１に記載の光分岐挿入装置。
【０１９１】
（付記７）前記コア部の挿入用入力ポートを複数設け、当該複数の挿入用入力ポートの一部は前記アド部に接続されるとともに、他の一部は波長クロスコネクトに挿入接続されることを特徴とする付記６に記載の光分岐挿入装置。
【０１９２】
（付記８）前記コア部の挿入用入力ポートは、Ｍ×１光カプラの入力ポートを用いることを特徴とする付記１に記載の光分岐挿入装置。
【０１９３】
（付記９）前記コア部の挿入用入力ポートは、Ｍ×１波長選択スイッチの入力ポートを用いることを特徴とする付記１に記載の光分岐挿入装置。
【０１９４】
（付記１０）前記コア部は、前記伝送経路の前記方路の数と同一数を設け、
複数の前記コア部は、それぞれ、Ｎ個の分岐用出力ポートを有する１×Ｎ波長選択スイッチと、
Ｍ個の挿入用入力ポートを有するＭ×１波長選択スイッチと、を備え、
一つの前記コア部の前記１×Ｎ波長選択スイッチの前記分岐用出力ポートと、他のコア部のＭ×１波長選択スイッチの前記挿入用入力ポートとを波長クロスコネクト用として接続したことを特徴とする付記１に記載の光分岐挿入装置。
【０１９５】
（付記１１）前記コア部は、
前記入力光が入力され、Ｎ個の出力ポートを有する１×Ｎ光カプラと、
Ｍ個の入力ポートを有し、前記出力光として出力するＭ×１光カプラと、
前記１×Ｎ光カプラのＮ個の出力ポートの一つと、前記Ｍ×１光カプラのＭ個の入力ポートの一つを接続してなるスルーの経路と、
前記スルーの経路上に設けた波長ブロッカーと、
を備えたことを特徴とする付記１に記載の光分岐挿入装置。
【０１９６】
（付記１２）前記コア部は、
前記入力光が入力され、Ｎ個の出力ポートを有する１×Ｎ光カプラと、
Ｍ個の入力ポートを有し、前記出力光として出力するＭ×１光カプラと、
前記１×Ｎ光カプラのＮ個の出力ポートの一つと、前記Ｍ×１光カプラのＭ個の入力ポートの一つを接続してなるスルーの経路と、
前記１×Ｎ光カプラのＮ個の出力ポートの一つに接続され、Ｎ個の分岐用出力ポートを有する分岐用の１×Ｎ波長選択スイッチと、
前記Ｍ×１光カプラのＭ個の入力ポートの一つに接続され、Ｍ個の挿入用入力ポートを有する挿入用のＭ×１波長選択スイッチと、
を備えたことを特徴とする付記１に記載の光分岐挿入装置。
【０１９７】
（付記１３）前記コア部は、
前記入力光が入力され、Ｎ個の出力ポートを有する１×Ｎ波長選択スイッチと、
Ｎ個の入力ポートを有し、前記出力光として出力するＮ×１光カプラと、
前記１×Ｎ波長選択スイッチのＮ個の出力ポートの一つと、前記Ｎ×１光カプラの入力ポートの一つを接続してなるスルーの経路と、
前記Ｎ×１光カプラのＮ個の入力ポートの一つに接続され、Ｍ個の前記挿入用入力ポートを有する挿入用のＭ×１波長選択スイッチと、
を備えたことを特徴とする付記１に記載の光分岐挿入装置。
【０１９８】
（付記１４）前記コア部は、
前記入力光が入力され、Ｎ個の出力ポートを有する１×Ｎ波長選択スイッチと、
Ｍ個の入力ポートを有し、前記出力光として出力するＭ×１波長選択スイッチと、
前記１×Ｎ波長選択スイッチの出力ポートの一つと、前記Ｍ×１波長選択スイッチの入力ポートの一つを接続してなるスルー経路と、
を備えたことを特徴とする付記１に記載の光分岐挿入装置。
【０１９９】
（付記１５）前記コア部の前記入力ポートと前記出力ポートにそれぞれ、前記入力光の波長間隔を変更する一対のインタリーバを設けたことを特徴とする付記１に記載の光分岐挿入装置。
【０２００】
（付記１６）前記コア部は、前記一対のインタリーバ間に設けられ、当該インタリーバによって変更された波長間隔のうち第１の波長群の前記入力光を分岐用出力ポートに出力する分岐用の波長選択スイッチと、挿入用入力ポートから挿入用の信号光を入力する挿入用の波長選択スイッチとを備えた第１のコア部と、
前記一対のインタリーバ間に増設による接続が可能であり、前記インタリーバによって変更され、前記第１のコア部に入力される波長間隔と同じ波長間隔を有する第２の波長群の前記入力光を分岐用出力ポートに出力する分岐用の波長選択スイッチと、挿入用入力ポートから挿入用の信号光を入力する挿入用の波長選択スイッチとを備えた増設用の第２のコア部と、
を含むことを特徴とする付記１５に記載の光分岐挿入装置。
【０２０１】
（付記１７）前記ドロップ部は、固定波長の光分波器、１×Ｎ波長選択スイッチ、グルーピングフィルタ、光カプラおよび波長可変フィルタ、のいずれかを備えたことを特徴とする付記２に記載の光分岐挿入装置。
【０２０２】
（付記１８）前記アド部は、固定波長の光合波器、Ｍ×１波長選択スイッチ、グルーピングフィルタ、光カプラのいずれかを備えたことを特徴とする付記６に記載の光分岐挿入装置。
【０２０３】
（付記１９）前記グルーピングフィルタとしてインタリーバを用い、また、グルーピングフィルタ適用時の波長数利用制限を解決することを特徴とする付記１７または１８に記載の光分岐挿入装置。
【０２０４】
（付記２０）前記グルーピングフィルタとして帯域分割フィルタを用い、また、グルーピングフィルタ適用時の波長数利用制限を解決することを特徴とする付記１７または１８に記載の光分岐挿入装置。
【０２０５】
（付記２１）前記グルーピングフィルタとしてアレイ導波路格子を用い、また、グルーピングフィルタ適用時の波長数利用制限を解決することを特徴とする付記１７または１８に記載の光分岐挿入装置。
【０２０６】
（付記２２）前記コア部の前記スルーの経路、分岐用出力ポート、挿入用入力ポート、のうち少なくとも一つに、信号光のパワーを調整するパワー調整部を設けたことを特徴とする付記１に記載の光分岐挿入装置。
【０２０７】
（付記２３）前記コア部の前記分岐用出力ポートを複数設け、当該分岐用出力ポートのうち少なくとも一つのポートは波長クロスコネクト用のポートとし、当該波長クロスコネクト用のポートにはポート数を増加させる出力用の拡張素子が接続可能なことを特徴とする付記１に記載の光分岐挿入装置。
【０２０８】
（付記２４）前記コア部の前記挿入用入力ポートを複数設け、当該挿入用入力ポートのうち少なくとも一つのポートは波長クロスコネクト用のポートとし、当該波長クロスコネクト用のポートにはポート数を増加させる入力用の拡張素子が接続可能なことを特徴とする付記１に記載の光分岐挿入装置。
【０２０９】
（付記２５）前記出力用の拡張素子として１×Ｎ波長選択スイッチまたは光カプラのいずれかが接続されたことを特徴とする付記２３に記載の光分岐挿入装置。
【０２１０】
（付記２６）前記入力用の拡張素子としてＭ×１波長選択スイッチまたは光カプラのいずれかが接続されたことを特徴とする付記２４に記載の光分岐挿入装置。
【０２１１】
（付記２７）前記出力用の拡張素子と、前記入力用の拡張素子のいずれか一方のみ排他的に光カプラを備えたことを特徴とする付記２５または２６に記載の光分岐挿入装置。
【０２１２】
（付記２８）前記光分岐挿入装置のコア部は、Ｍ個の入力ポートを有し、前記出力光として出力する挿入用のＭ×１波長選択スイッチを備えたことを特徴とする付記２７に記載の光分岐挿入装置。
【０２１３】
（付記２９）前記コア部は、
前記入力光が入力され、２個の出力ポートを有する第１の１×２光カプラと、
Ｍ個の入力ポートを有し、前記出力光として出力する、挿入用のＭ×１波長選択スイッチと、
前記第１の１×２光カプラの一方の出力ポートと、前記Ｍ×１波長選択スイッチのＭ個のポートの一つを接続してなるスルーの経路と、
前記第１の１×２光カプラの他方の出力に接続された２個の出力ポートを有する第２の１×２光カプラと、
前記第２の１×２光カプラの一方の出力に接続されたＮ個の出力ポートを有する分岐用の１×Ｎ波長選択スイッチと、を備え、
前記第２の１×２光カプラの他方の出力を波長クロスコネクト用のポートとし、
前記Ｍ×１波長選択スイッチのＭ個の入力ポートの一部を波長クロスコネクト用のポートとしたことを特徴とする付記１に記載の光分岐挿入装置。
【０２１４】
（付記３０）前記コア部は、
前記入力光が入力され、２個の出力ポートを有する１×２光カプラと、
Ｍ個の入力ポートを有し、前記出力光として出力する、挿入用のＭ×１波長選択スイッチと、
前記１×２光カプラの一方の出力ポートと、前記Ｍ×１波長選択スイッチのＭ個のポートの一つを接続してなるスルーの経路と、
前記１×２光カプラの他方の出力ポートに接続されたＮ個の出力を有する１×Ｎ光カプラと、を備え、
前記１×Ｎ光カプラのＮ個のポートのうちの１ポートを波長クロスコネクト用のポートとし、
前記Ｍ×１波長選択スイッチのＭ個の入力ポートの一部を波長クロスコネクト用のポートとしたことを特徴とする付記１に記載の光分岐挿入装置。
【産業上の利用可能性】
【０２１５】
以上のように、本発明にかかる光分岐挿入装置は、伝送経路における波長ごとの分岐数、挿入数の増大、および方路数の増大時に対応することができ、ネットワークにおける光路の切り替えを行う光スイッチに有用であり、特に、波長多重された光信号のチャネル数の増大や、方路数の増大に対応する光スイッチに適している。
【図面の簡単な説明】
【０２１６】
【図１】本発明の光分岐挿入装置による機能拡張の手順例を説明する図である。
【図２】光分岐挿入装置の機能を比較した図表である。
【図３】少数波長対応ＤＯＡＤＭから多波長対応ＤＯＡＤＭへの機能拡張を示す図である。
【図４】ＲＯＡＤＭからＤＯＡＤＭへの機能拡張を示す図である。
【図５】ＤＯＡＤＭからＷＸＣへの機能拡張を示す図である。
【図６】コア部の構成例１を示す図である。
【図７】コア部の構成例２を示す図である。
【図８】コア部の構成例３を示す図である。
【図９】コア部の構成例４を示す図である。
【図１０】アド部の構成例１を示す図である。
【図１１−１】アド部の構成例２を示す図である。
【図１１−２】アド部の構成例３を示す図である。
【図１２】アド部の構成例４を示す図である。
【図１３】アド部の構成例５を示す図である。
【図１４】アド部の構成例６を示す図である。
【図１５】アド部の構成例７を示す図である。
【図１６】アド部の構成例８を示す図である。
【図１７】アド部の構成例９を示す図である。
【図１８】ドロップ部の構成例１を示す図である。
【図１９−１】ドロップ部の構成例２を示す図である。
【図１９−２】ドロップ部の構成例３を示す図である。
【図２０】ドロップ部の構成例４を示す図である。
【図２１】ドロップ部の構成例５を示す図である。
【図２２】ドロップ部の構成例６を示す図である。
【図２３】ドロップ部の構成例７を示す図である。
【図２４】ドロップ部の構成例８を示す図である。
【図２５】ドロップ部の構成例９を示す図である。
【図２６】波長間隔を変更するコア部の構成を示す図である。
【図２７】波長間隔を変更するアド部の構成例を示す図である。
【図２８】波長間隔を変更するドロップ部の構成例を示す図である。
【図２９】インタリーバを用いたコア部の機能拡張例を示す図である。
【図３０−１】コア部における光パワーの制御の構成例１を示す図である。
【図３０−２】コア部における光パワーの制御の構成例２を示す図である。
【図３１】コア部における光パワーの制御の構成例３を示す図である。
【図３２−１】コア部における光パワーの制御の構成例４を示す図である。
【図３２−２】コア部における光パワーの制御の構成例５を示す図である。
【図３３】コア部における光パワーの制御の構成例６を示す図である。
【図３４−１】初期導入時における光分岐挿入装置の構成を示す図である（インサービスアップグレード例１）。
【図３４−２】図３４−１に示した光分岐挿入装置の拡張例１を示す図である。
【図３４−３】図３４−１に示した光分岐挿入装置の拡張例２を示す図である。
【図３４−４】図３４−１に示した光分岐挿入装置の拡張例３を示す図である。
【図３４−５】図３４−１に示した光分岐挿入装置の拡張例４を示す図である。
【図３４−６】図３４−５に示した光分岐挿入装置の具体的構成例を示す図である。
【図３４−７】図３４−６に示したグルーピングフィルタ（ＧＦ）を構成するインタリーバを示す図である。
【図３４−８】図３４−５に示した光分岐挿入装置の具体的構成例を示す図である。
【図３４−９】図３４−８に示したグルーピングフィルタ（ＧＦ）を構成するインタリーバを示す図である。
【図３４−１０】図３４−５に示した光分岐挿入装置の具体的構成例を示す図である。
【図３４−１１】図３４−１０に示したグルーピングフィルタ（ＧＦ２，４）を構成する帯域分割フィルタを示す図である。
【図３４−１２】図３４−１０に示したグルーピングフィルタ（ＧＦ１，３，５）を構成する帯域分割フィルタを示す図である。
【図３４−１３】図３４−５に示した光分岐挿入装置の具体的構成例を示す図である。
【図３４−１４】図３４−１３に示したグルーピングフィルタ（ＧＦ２，４，６，８，１０）を構成する帯域分割フィルタを示す図である。
【図３４−１５】図３４−１３に示したグルーピングフィルタ（ＧＦ１，３，５，７，９）を構成する帯域分割フィルタを示す図である。
【図３４−１６】図３４−５に示した光分岐挿入装置の具体的構成例を示す図である。
【図３４−１７】図３４−１６に示したグルーピングフィルタ（ＧＦ１〜５）を構成するカラーレスＡＷＧを示す図である。
【図３４−１８】図３４−５に示した光分岐挿入装置の具体的構成例を示す図である。
【図３４−１９】図３４−１８に示したグルーピングフィルタ（ＧＦ２，４，６，８，１０）を構成するカラーレスＡＷＧを示す図である。
【図３４−２０】図３４−１８に示したグルーピングフィルタ（ＧＦ１，３，５，７，９）を構成するカラーレスＡＷＧを示す図である。
【図３５−１】初期導入時における光分岐挿入装置の構成を示す図である（インサービスアップグレード例２）。
【図３５−２】図３５−１に示した光分岐挿入装置の拡張例１を示す図である。
【図３５−３】図３５−１に示した光分岐挿入装置の拡張例２を示す図である。
【図３５−４】図３５−１に示した光分岐挿入装置の拡張例３を示す図である。
【図３５−５】図３５−３に示した光分岐挿入装置の具体的構成例を示す図である。
【図３５−６】図３５−５に示したグルーピングフィルタ（ＧＦ）を構成するインタリーバを示す図である。
【図３５−７】図３５−３に示した光分岐挿入装置の具体的構成例を示す図である。
【図３５−８】図３５−７に示したグルーピングフィルタ（ＧＦ２，４，６，８，１０）を構成する帯域分割フィルタを示す図である。
【図３５−９】図３５−７に示したグルーピングフィルタ（ＧＦ１，３，５，７，９）を構成する帯域分割フィルタを示す図である。
【図３５−１０】図３５−３に示した光分岐挿入装置の具体的構成例を示す図である。
【図３５−１１】図３５−１０に示したグルーピングフィルタ（ＧＦ１，３，５，７，９）を構成するカラーレスＡＷＧを示す図である。
【図３５−１２】図３５−１０に示したグルーピングフィルタ（ＧＦ２，４，６，８，１０）を構成するカラーレスＡＷＧを示す図である。
【図３６−１】初期導入時における光分岐挿入装置の構成を示す図である（インサービスアップグレード例３）。
【図３６−２】図３６−１に示した光分岐挿入装置の拡張例１を示す図である。
【図３６−３】図３６−１に示した光分岐挿入装置の拡張例２を示す図である。
【図３６−４】図３６−１に示した光分岐挿入装置の拡張例３を示す図である。
【図３６−５】図３６−１に示した光分岐挿入装置の拡張例４を示す図である。
【図３６−６】図３６−１に示した光分岐挿入装置の拡張例５を示す図である。
【図３６−７】図３６−６に示した光分岐挿入装置の具体的構成例を示す図である。
【図３６−８】図３６−７に示したグルーピングフィルタ（ＧＦ）を構成するインタリーバを示す図である。
【図３６−９】図３６−６に示した光分岐挿入装置の具体的構成例を示す図である。
【図３６−１０】図３６−９に示したグルーピングフィルタ（ＧＦ）を構成するインタリーバを示す図である。
【図３６−１１】図３６−６に示した光分岐挿入装置の具体的構成例を示す図である。
【図３６−１２】図３６−１１に示したグルーピングフィルタ（ＧＦ２，４）を構成する帯域分割フィルタを示す図である。
【図３６−１３】図３６−１１に示したグルーピングフィルタ（ＧＦ１，３，５）を構成する帯域分割フィルタを示す図である。
【図３６−１４】図３６−６に示した光分岐挿入装置の具体的構成例を示す図である。
【図３６−１５】図３６−１４に示したグルーピングフィルタ（ＧＦ２，４，６，８，１０）を構成する帯域分割フィルタを示す図である。
【図３６−１６】図３６−１４に示したグルーピングフィルタ（ＧＦ１，３，５，７，９）を構成する帯域分割フィルタを示す図である。
【図３６−１７】図３６−６に示した光分岐挿入装置の具体的構成例を示す図である。
【図３６−１８】図３６−１７に示したグルーピングフィルタ（ＧＦ１〜５）を構成するカラーレスＡＷＧを示す図である。
【図３６−１９】図３６−６に示した光分岐挿入装置の具体的構成例を示す図である。
【図３６−２０】図３６−１９に示したグルーピングフィルタ（ＧＦ１，３，５，７，９）を構成するカラーレスＡＷＧを示す図である。
【図３６−２１】図３６−１９に示したグルーピングフィルタ（ＧＦ２，４，６，８，１０）を構成するカラーレスＡＷＧを示す図である。
【図３７−１】初期導入時における光分岐挿入装置の構成を示す図である（インサービスアップグレード例４）。
【図３７−２】図３７−１に示した光分岐挿入装置の拡張例１を示す図である。
【図３７−３】図３７−１に示した光分岐挿入装置の拡張例２を示す図である。
【図３７−４】図３７−１に示した光分岐挿入装置の拡張例３を示す図である。
【図３７−５】図３７−１に示した光分岐挿入装置の拡張例４を示す図である。
【図３７−６】図３７−４に示した光分岐挿入装置の具体的構成例を示す図である。
【図３７−７】図３７−６に示したグルーピングフィルタ（ＧＦ）を構成するインタリーバを示す図である。
【図３７−８】図３７−４に示した光分岐挿入装置の具体的構成例を示す図である。
【図３７−９】図３７−８に示したグルーピングフィルタ（ＧＦ２，４，６，８，１０）を構成する帯域分割フィルタを示す図である。
【図３７−１０】図３７−８に示したグルーピングフィルタ（ＧＦ１，３，５，７，９）を構成する帯域分割フィルタを示す図である。
【図３７−１１】図３７−４に示した光分岐挿入装置の具体的構成例を示す図である。
【図３７−１２】図３７−１１に示したグルーピングフィルタ（ＧＦ１，３，５，７，９）を構成するカラーレスＡＷＧを示す図である。
【図３７−１３】図３７−１１に示したグルーピングフィルタ（ＧＦ２，４，６，８，１０）を構成するカラーレスＡＷＧを示す図である。
【図３８−１】初期導入時における光分岐挿入装置の構成を示す図である（インサービスアップグレード例５）。
【図３８−２】図３８−１に示した光分岐挿入装置の拡張例１を示す図である。
【図３８−３】図３８−１に示した光分岐挿入装置の拡張例２を示す図である。
【図３９−１】初期導入時における光分岐挿入装置の構成を示す図である（インサービスアップグレード例６）。
【図３９−２】図３９−１に示した光分岐挿入装置の拡張例１を示す図である。
【図３９−３】図３９−１に示した光分岐挿入装置の拡張例２を示す図である。
【図３９−４】図３９−３に示した機能拡張時における伝送経路間の信号切り替えを示す図である。
【図４０−１】グルーピングフィルタとしてのインタリーバをドロップ側に用いた構成例を示す図である。
【図４０−２】グルーピングフィルタとしてのインタリーバをアド側に用いた構成例を示す図である。
【図４１−１】グルーピングフィルタとしての帯域分割フィルタをドロップ側に用いた構成例を示す図である。
【図４１−２】グルーピングフィルタとしての帯域分割フィルタをアド側に用いた構成例を示す図である。
【図４２−１】グルーピングフィルタとしてカラーレスＡＷＧをドロップ側に用いた構成例を示す図である。
【図４２−２】グルーピングフィルタとしてカラーレスＡＷＧをアド側に用いた構成例を示す図である。
【図４３−１】ドロップ信号の光パワーの制御に光スペクトルモニタを用いた例を示す図である。
【図４３−２】主信号およびドロップ信号の光パワーの制御に光スペクトルモニタを用いた例を示す図である。
【図４４】インタリーバを備えたコア部の増設例を示す図である。
【図４５−１】コア部内のドロップ側の波長選択スイッチをブロック化した例を示す図である。
【図４５−２】コア部内のアド側の波長選択スイッチをブロック化した例を示す図である。
【図４６−１】波長クロスコネクト機能を実現するための光分岐挿入装置の本発明における一般的な構成例を示す図である。
【図４６−２】アド部・ドロップ部のチャネル数と波長クロスコネクトの最大方路数との関係を示す図表である。
【図４７】図４６−１に示した光分岐挿入装置の方路用ポートの拡張例を示す図である。
【図４８】図４６−１に示した光分岐挿入装置の方路用ポートの拡張例を示す図である。
【図４９】コア部に１×２光カプラを追加した場合の光分岐挿入装置の方路用ポートの拡張例を示す図である。
【図５０】コア部に１×２光カプラを追加した場合の光分岐挿入装置の方路用ポートの拡張例を示す図である。
【図５１】コア部に１×２光カプラを追加した場合の光分岐挿入装置の方路用ポートの拡張例を示す図である。
【図５２】コア部のドロップ側に１×６光カプラを用いた場合の光分岐挿入装置の方路用ポートの拡張例を示す図である。
【図５３】コア部のドロップ側に１×６光カプラを用いた場合の光分岐挿入装置の方路用ポートの拡張例を示す図である。
【図５４】コア部のドロップ側に１×６光カプラを用いた場合の光分岐挿入装置の方路用ポートの拡張例を示す図である。
【図５５】ＲＯＡＤＭによる方路用ポートの拡張例を示す図である。
【図５６】ＲＯＡＤＭによる方路用ポートの拡張例を示す図である。
【図５７】ネットワークの伝送経路と波長クロスコネクト装置の構成を示す図である。
【図５８】従来技術による光クロスコネクトの例としてマトリックススイッチを用いた構成を示す図である。
【符号の説明】
【０２１７】
１ａ〜１ｃ  リングネットワーク
２ａ，１０ａ  （ＬＣＣ）ＤＯＡＤＭ
２ｂ，１０ｂ  （ＨＣＣ）ＤＯＡＤＭ
２ｃ  ＷＸＣ
３ａ，１３ａ，２３ａ，２３ｂ  アド部
３ｂ，１２ａ，２２ａ，２２ｂ  ドロップ部
１１ａ，２１ａ  コア部
３１  光カプラ
３２  波長ブロッカー（ＷＢ）
３４  波長選択スイッチ（ＷＳＳ）
７１  光合波器（Ｍｕｘ）
９２  光増幅器
９６  マトリックススイッチ
１０１  グルーピングフィルタ（ＧＦ）
１０２  インタリーバ（ＩＬ）
１０３  帯域分割フィルタ（ＢＤＦ）
１０４  カラーレスＡＷＧ
１１１  光分波器（ＤｅＭｕｘ）
１３２  波長可変光フィルタ
２０４  モニタ
３００ａ〜３００ｅ  光分岐挿入装置
【図１】
2006087062.tif 000003
【図２】
2006087062.tif 000004
【図３】
2006087062.tif 000005
【図４】
2006087062.tif 000006
【図５】
2006087062.tif 000007
【図６】
2006087062.tif 000008
【図７】
2006087062.tif 000009
【図８】
2006087062.tif 000010
【図９】
2006087062.tif 000011
【図１０】
2006087062.tif 000012
【図１１−１】
2006087062.tif 000013
【図１１−２】
2006087062.tif 000014
【図１２】
2006087062.tif 000015
【図１３】
2006087062.tif 000016
【図１４】
2006087062.tif 000017
【図１５】
2006087062.tif 000018
【図１６】
2006087062.tif 000019
【図１７】
2006087062.tif 000020
【図１８】
2006087062.tif 000021
【図１９−１】
2006087062.tif 000022
【図１９−２】
2006087062.tif 000023
【図２０】
2006087062.tif 000024
【図２１】
2006087062.tif 000025
【図２２】
2006087062.tif 000026
【図２３】
2006087062.tif 000027
【図２４】
2006087062.tif 000028
【図２５】
2006087062.tif 000029
【図２６】
2006087062.tif 000030
【図２７】
2006087062.tif 000031
【図２８】
2006087062.tif 000032
【図２９】
2006087062.tif 000033
【図３０−１】
2006087062.tif 000034
【図３０−２】
2006087062.tif 000035
【図３１】
2006087062.tif 000036
【図３２−１】
2006087062.tif 000037
【図３２−２】
2006087062.tif 000038
【図３３】
2006087062.tif 000039
【図３４−１】
2006087062.tif 000040
【図３４−２】
2006087062.tif 000041
【図３４−３】
2006087062.tif 000042
【図３４−４】
2006087062.tif 000043
【図３４−５】
2006087062.tif 000044
【図３４−６】
2006087062.tif 000045
【図３４−７】
2006087062.tif 000046
【図３４−８】
2006087062.tif 000047
【図３４−９】
2006087062.tif 000048
【図３４−１０】
2006087062.tif 000049
【図３４−１１】
2006087062.tif 000050
【図３４−１２】
2006087062.tif 000051
【図３４−１３】
2006087062.tif 000052
【図３４−１４】
2006087062.tif 000053
【図３４−１５】
2006087062.tif 000054
【図３４−１６】
2006087062.tif 000055
【図３４−１７】
2006087062.tif 000056
【図３４−１８】
2006087062.tif 000057
【図３４−１９】
2006087062.tif 000058
【図３４−２０】
2006087062.tif 000059
【図３５−１】
2006087062.tif 000060
【図３５−２】
2006087062.tif 000061
【図３５−３】
2006087062.tif 000062
【図３５−４】
2006087062.tif 000063
【図３５−５】
2006087062.tif 000064
【図３５−６】
2006087062.tif 000065
【図３５−７】
2006087062.tif 000066
【図３５−８】
2006087062.tif 000067
【図３５−９】
2006087062.tif 000068
【図３５−１０】
2006087062.tif 000069
【図３５−１１】
2006087062.tif 000070
【図３５−１２】
2006087062.tif 000071
【図３６−１】
2006087062.tif 000072
【図３６−２】
2006087062.tif 000073
【図３６−３】
2006087062.tif 000074
【図３６−４】
2006087062.tif 000075
【図３６−５】
2006087062.tif 000076
【図３６−６】
2006087062.tif 000077
【図３６−７】
2006087062.tif 000078
【図３６−８】
2006087062.tif 000079
【図３６−９】
2006087062.tif 000080
【図３６−１０】
2006087062.tif 000081
【図３６−１１】
2006087062.tif 000082
【図３６−１２】
2006087062.tif 000083
【図３６−１３】
2006087062.tif 000084
【図３６−１４】
2006087062.tif 000085
【図３６−１５】
2006087062.tif 000086
【図３６−１６】
2006087062.tif 000087
【図３６−１７】
2006087062.tif 000088
【図３６−１８】
2006087062.tif 000089
【図３６−１９】
2006087062.tif 000090
【図３６−２０】
2006087062.tif 000091
【図３６−２１】
2006087062.tif 000092
【図３７−１】
2006087062.tif 000093
【図３７−２】
2006087062.tif 000094
【図３７−３】
2006087062.tif 000095
【図３７−４】
2006087062.tif 000096
【図３７−５】
2006087062.tif 000097
【図３７−６】
2006087062.tif 000098
【図３７−７】
2006087062.tif 000099
【図３７−８】
2006087062.tif 000100
【図３７−９】
2006087062.tif 000101
【図３７−１０】
2006087062.tif 000102
【図３７−１１】
2006087062.tif 000103
【図３７−１２】
2006087062.tif 000104
【図３７−１３】
2006087062.tif 000105
【図３８−１】
2006087062.tif 000106
【図３８−２】
2006087062.tif 000107
【図３８−３】
2006087062.tif 000108
【図３９−１】
2006087062.tif 000109
【図３９−２】
2006087062.tif 000110
【図３９−３】
2006087062.tif 000111
【図３９−４】
2006087062.tif 000112
【図４０−１】
2006087062.tif 000113
【図４０−２】
2006087062.tif 000114
【図４１−１】
2006087062.tif 000115
【図４１−２】
2006087062.tif 000116
【図４２−１】
2006087062.tif 000117
【図４２−２】
2006087062.tif 000118
【図４３−１】
2006087062.tif 000119
【図４３−２】
2006087062.tif 000120
【図４４】
2006087062.tif 000121
【図４５−１】
2006087062.tif 000122
【図４５−２】
2006087062.tif 000123
【図４６−１】
2006087062.tif 000124
【図４６−２】
2006087062.tif 000125
【図４７】
2006087062.tif 000126
【図４８】
2006087062.tif 000127
【図４９】
2006087062.tif 000128
【図５０】
2006087062.tif 000129
【図５１】
2006087062.tif 000130
【図５２】
2006087062.tif 000131
【図５３】
2006087062.tif 000132
【図５４】
2006087062.tif 000133
【図５５】
2006087062.tif 000134
【図５６】
2006087062.tif 000135
【図５７】
2006087062.tif 000136
【図５８】
2006087062.tif 000137